(57)【要約】【課題】人気銘柄やミニ日経２２５先物といった多数の市場参加者が存在する銘柄であっても、板情報表示画面に基づいて、適切な売り値又は買い値を容易に設定して、株式などの相場の商いを高い信頼性をもって行えるようにした相場情報表示装置を提供すること。【解決手段】画像表示手段（ステップ１３０６）は、板情報及び／又は板情報を加工して得られた加工情報を、それらの情報に含まれる数量値が所定のグラフィック特徴量に変換された、板情報補助画像（Ｇ２１〜２５，Ｇ３１〜３５，Ｇ４１，Ｇ５１，Ｇ６）を生成し、この板情報補助画像を板情報基本画像（Ｇ１）に付加して、画像表示器（２０３ａ）の表示スクリーン（２０３ａ−１）上に表示させる、ように仕組まれている。【選択図】図３７
2012043027.tif 000002
【特許請求の範囲】
【請求項１】
指定された銘柄に関し、所定個数の売り値、所定個数の買い値、前記売り値のそれぞれに対応する売り板枚数、及び前記買い値のそれぞれに対応する買い板枚数、と言った数量値を含む板情報を所定周期で入力するための入力手段（２０２ｂ）と、
前記入力手段により所定周期で入力される前記板情報を記憶するための記憶手段（２０１ｃ）と、
前記記憶手段に記憶された前記板情報に基づいて、
前記売り値及び前記買い値のそれぞれに相当する一連の「値」数字を所定間隔で上下方向一列に配列してなる「値」数字列（ＮＬ１）と、
前記売り板枚数のそれぞれに相当する一連の「売り板枚数」数字を、対応する前記売り値と前記売り板枚数とが隣接するようにして、前記「値」数字列の一方の側に隣接させて一列に配置してなる「売り板枚数」数字列（ＮＬ２）と、
前記買い板枚数のそれぞれに相当する一連の「買い板枚数」数字を、対応する前記買い値と前記買い板枚数とが隣接するようにして、前記「値」数字列の他方の側に隣接させて一列に配置してなる「買い板枚数」数字列（ＮＬ３）とからなる、
板情報基本画像（Ｇ１）を少なくとも生成し、前記板情報基本画像を、所定の画像表示器のスクリーン上に表示させる画像表示手段（ステップ１３０６）と、
を有する相場情報表示装置であって、
前記画像表示手段（ステップ１３０６）は、前記板情報及び／又は前記板情報を加工して得られた加工情報を、それらの情報に含まれる数量値が所定のグラフィック特徴量に変換された、板情報補助画像を生成し、前記板情報補助画像を前記板情報基本画像に付加して、前記画像表示器（２０３ａ）の表示スクリーン（２０３ａ−１）上に表示させる、ように仕組まれている相場情報表示装置。
【請求項２】
前記板情報補助画像が、
前記一連の売り板枚数のそれぞれの数量をグラフィカルに表す値別売り板枚数対応画像（Ｇ２１〜Ｇ２５）、
前記一連の買い板枚数のそれぞれの数量をグラフィカルに表す値別買い板枚数対応画像（Ｇ３１〜Ｇ３５）、
最低売り値から所定個数分の一連の売り値のそれぞれに対応する売り板枚数を単純加算又は重み付け加算して得られる売り板総数をグラフィカルに表す売り板総数対応画像（Ｇ４１）、
最高買い値から所定個数分の一連の買い値のそれぞれに対応する買い板枚数を単純加算又は重み付け加算して得られる買い板総数をグラフィカルに表す買い板総数対応画像（Ｇ５１）、及び
前記売り板総数と前記買い板総数との比較結果をグラフィカルに表す総数比較結果対応画像（Ｇ６）、
の少なくとも１つを含む、請求項１に記載の相場情報表示装置。
【請求項３】
前記値別売り板枚数対応画像（Ｇ２１〜Ｇ２５）が、
前記板情報基本画像（Ｇ１）において、前記「値」数字列（ＮＬ１）を挟んで、各「売り板枚数」数字列（ＮＬ２）と反対の側の空きスペースに配置され、かつ所定の最大表示長（Ｌｍａｘ）の範囲で正規化された、売り板枚数対応長（ＳＬ１〜ＳＬ５）を有する売り板色のバー（２１〜２５）である、請求項２に記載の相場情報表示装置。
【請求項４】
前記値別買い板枚数対応画像（Ｇ３１〜Ｇ３５）が、
前記板情報基本画像（Ｇ１）において、前記「値」数字列（ＮＬ１）を挟んで、各「買い板枚数」数字列（ＮＬ３）と反対の側の空きスペースに配置され、かつ所定の最大表示長（Ｌｍａｘ）の範囲で正規化された、買い板枚数対応長（ＢＬ１〜ＢＬ５）を有する買い板色のバー（３１〜３５）である、請求項２に記載の相場情報表示装置。
【請求項５】
前記売り板総数対応画像（Ｇ４１）が、
前記板情報基本画像（Ｇ１）に隣接するその上部にあって、前記「値」数字列（ＮＬ１）の延長線に対して、前記「売り板枚数」数字列（ＮＬ２）と反対の側に配置され、かつ所定の最大表示長（Ｌｍａｘ）の範囲で正規化された、売り板総数対応長（ＳＴＬ）を有する売り板色のバー（４１）である、請求項２に記載の相場情報表示装置。
【請求項６】
前記買い板総数対応画像（Ｇ５１）が、
前記板情報基本画像（Ｇ１）に隣接するその上部にあって、前記「値」数字列（ＮＬ１）の延長線に対して、前記「買い板枚数」数字列（ＮＬ３）と反対の側に配置され、かつ所定の最大表示長（Ｌｍａｘ）の範囲で正規化された、買い板総数対応長（ＢＴＬ）を有する買い板色のバー（５１）である、請求項２に記載の相場情報表示装置。
【請求項７】
前記総数比較結果対応画像（Ｇ６）が、
前記板情報基本画像（Ｇ１）に隣接するその上部にあって、前記「値」数字列（ＮＬ１）の延長線上に配置され、かつ前記総数比較結果の売り板総数大、買い板総数大に応じて、下向きの売り板色、上向きの買い板色となる方向性記号（６）である、請求項２に記載の相場情報表示装置。
【請求項８】
前記板情報基本画像（Ｇ１）及び前記板情報補助画像（Ｇ２１〜２５，Ｇ３１〜３５，Ｇ４１，Ｇ５１，Ｇ６）が、
前記画像表示器の表示スクリーン上にあって、相場チャート表示用のメインウィンドウ（Ｗ１）に隣接して開かれた売買判断情報表示用のサブウィンドウ（Ｗ２）内に表示される、請求項１〜７のいずれかに記載の相場情報表示装置。
【請求項９】
前記メインウィンドウ（Ｗ１）内の所定領域には、指定された銘柄について、指定された単位期間毎にサンプルされた一連の終値データに基づいて作成されてた短期、中期、長期の増田足曲線を有する増田足チャートを含む画像（Ｇ７）が表示される、請求項８に記載の相場情報表示装置。
【請求項１０】
前記サブウィンドウ（Ｗ２）内の所定領域には、前記一連の終値データに、所定の判定ルールを適用することにより自動判定された相場の目先トレンドを端的に表すトレンド記号を含む画像（Ｇ９）がさらに表示される、請求項９に記載の相場情報表示装置。
【請求項１１】
前記サブウィンドウ（Ｗ２）内の所定領域には、前記一連の終値データに基づいて作成された短期増田影足曲線を構成する直近所定本数以内の影足列を含む画像（Ｇ１０）がさらに表示される、請求項１０に記載の相場情報表示装置。
【請求項１２】
前記サブウィンドウ（Ｗ２）内の所定領域には、前記直近所定本数以内の影足列に、所定の判定ルールを適用することにより自動判定された相場の目先トレンドを表すコメント文を含む画像（Ｇ１１）がさらに表示される、請求項１１に記載の相場情報表示装置。
【請求項１３】
前記表示スクリーン上には、所定の操作に応じて、相場チャート表示用の別ウィンドウ（Ｗ３）が重ねて開かれ、前記別ウィンドウ内には、前記銘柄について、指定された前記単位期間とは異なる別の単位期間毎にサンプルされた一連の始値、終値、高値、安値の各データに基づいて作成されたローソク足チャート及び／又は増田足チャートを含む画像が表示される、請求項１２に記載の相場情報表示装置。
【請求項１４】
前記指定された銘柄がミニ日経２２５先物であり、
前記メインウィンドウ内に増田足チャートを表示させる際に指定される単位期間が５分であり、
前記別ウィンドウ内にローソク足チャート及び／又は増田足チャートを表示させる際に指定される単位期間が１分である、請求項１３に記載の相場情報表示装置。
【請求項１５】
請求項１〜１４のいずれかに記載の相場情報表示装置としてコンピュータを機能させるためのコンピュータプログラム。
【請求項１６】
クライアント・アンド・サーバシステムにおけるサーバ装置として構成される請求項１〜１４のいずれかに記載の相場情報表示装置。
【請求項１７】
クライアント・アンド・サーバシステムにおけるクライアント機として構成される請求項１〜１４のいずれかに記載の相場情報表示装置。
【発明の詳細な説明】
【技術分野】
【０００１】
この発明は、各種の相場（例えば、株式、債権、商品、デリバティブ、オプション、ワラント等）の商いに関する情報を画像表示器のスクリーン上に表示する機能を有する相場情報表示装置に関する。
【背景技術】
【０００２】
株価の動向を推し量るためのツールとしては、ローソク足、柴田罫線、星足、増田足などの株価チャートが知られている。これらのチャートが組み込まれた株価分析ソフトを利用することによって、市場の参加者は、比較的高い精度で、特定銘柄の株価の動向を推定することができる。とは言え、これらの株価チャートだけでは、希望の価格で、株の売り買いを行うことは、必ずしも容易なことではない。そのため、一般に、株の売り買いを実際に行う場合には、大証、東証といった証券取引所が提供する板情報を参照するのが通例である。
【０００３】
従来、板情報表示画面は、売り値及び買い値のそれぞれに相当する一連の「値」数字を所定間隔で上下方向一列に配列してなる「値」数字列と、売り板枚数（その売り値の株数）のそれぞれに相当する一連の「売り板枚数」数字を、対応する売り値と売り板枚数とが隣接するようにして、「値」数字列の一方の側に隣接させて一列に配置してなる「売り板枚数」数字列と、買い板枚数（その買い値の株数）のそれぞれに相当する一連の「買い板枚数」数字を対応する買い値と買い板枚数とが隣接するようにして、「値」数字列の他方の側に隣接させて一列に配置してなる「買い板枚数」数字列とを、矩形輪郭の表示用ウィンドウ内に配列して構成されている。
【０００４】
この板情報表示画面によれば、最安売り値から高値側へ連続する一連の売り板枚数列と、最高買い値から安値側へ連続する一連の買い板枚数列との境界に着目することで、現在もみ合っている株価がいくらの辺りにあり、またそれを挟んで向かい合う最安売り値と最高買い値の板枚数同士を比較することで、近い将来、現在の価格が上昇に向かうか或いは下降に向かうかをおおよそ推定することができ、これに基づき、株の売り買いを行う者は、売り買いの勢力に応じて、適切な売り値又は買い値を設定することができる。
【０００５】
このような板情報表示画面の一例としては、株式会社楽天証券が提供する「マーケットスピード」（登録商標）が知られている（例えば、非特許文献１参照）。
【先行技術文献】
【非特許文献】
【０００６】
【非特許文献１】株式会社楽天証券のチャート閲覧ソフト「マーケットスピード」（２００５年４月発売）
【発明の概要】
【発明が解決しようとする課題】
【０００７】
一般に、この種の板情報表示画面の利用者は、売り板枚数列と買い板枚数列とが向かい合う一組の最安売り値と最高買い値に着目し、それらの板枚数同士の大小関係に応じ、今後の株価の動向を予想した上で、売り値又は買い値を指し値することにより、その値段で株が売り買いされることを期待するのである。
【０００８】
ところで、多くの市場参加者に知られているところであるが、そのようにして株価の上昇又は下降を予想して、売り値又は買い値を設定し、売り買いを成立させてはみたものの、その後突如として、上昇するはずであった株価が下降に転じてみたり、逆に下降するはずであった株価が上昇に転じてみたりすることがしばしば経験される。
【０００９】
これは、もちろん、板情報には現れない大量の成り行き株の存在を原因とする場合もあるが、多くの場合、現在の株価から比較的上下に大きく離れた売り値又は買い値において、大量の売り板枚数又は買い板枚数が存在したり、或いは一連の売り値の売り板総数と一連の買い値の買い板総数との大小関係が、現在の株価を挟んで存在する一組の買い板枚数と売り板枚数との大小関係と逆であった場合などが考えられる。
【００１０】
そのため、この種の板情報表示画面を有効に利用して適切な売り値又は買い値の指し値を行うためには、現在の株価の直近にある売り板枚数と買い板枚数との大小関係だけではなく、一連の売り値又は買い値の中で、どこか特定の値段に大量の売り板枚数又は買い板枚数が存在しないか、さらには、一連の全売り値の売り板総数と買い板総数との大小関係についても確認しつつ、売り値又は買い値の指し値を行う必要がある。
【００１１】
しかしながら、この種の板情報表示画面の構成は、先に述べたように、売り値列又は買い値列を示す数字列のそれぞれ一方または他方の側に、売り板枚数又は買い板枚数に相当する数字列を単に配列したものであることに加え、これらの数字列のそれぞれは、高速通信回線を介して、例えば１秒単位で更新されるものであるから、ソニーやトヨタといった人気銘柄、或いはミニ日経２２５先物といった人気銘柄であると、売り値及び買い値のみならず、その売り板枚数及び買い板枚数までもが頻繁に更新されることから、例えばデイトレードを行うような市場参加者は、多数のチャートを横目で眺めながら、売り板枚数の分布や売り板総数の大小関係を即座に判断するのは至難の業となり、結局、板情報の分析が不十分なことを理由として、売り買いのタイミングを誤まり、予期せぬ損失を被ることがあるといった問題点があった。
【００１２】
この発明は、このような従来の問題点に着目してなされたものであり、その目的とするところは、人気銘柄やミニ日経２２５先物といった多数の市場参加者が存在する銘柄であっても、板情報表示画面に基づいて、適切な売り値又は買い値を容易に設定して、株式などの相場の商いを高い信頼性をもって行えるようにした相場情報表示装置を提供することにある。
【００１３】
この発明の他の目的並びに作用効果については、明細書の以下の記述を参照することにより、当業者であれば容易に理解されるであろう。
【課題を解決するための手段】
【００１４】
上述の技術的課題は、以下の構成を有する相場情報表示装置、コンピュータプログラム、及びサーバ・アンド・クライアントシステムにおけるサーバ装置又はクライアント機により解決することができる。
【００１５】
すなわち、この発明に係る相場情報表示装置は、入力手段と、記憶手段と、画像表示手段とを有する。
【００１６】
ここで、入力手段は、指定された銘柄に関し、所定個数の売り値、所定個数の買い値、前記売り値のそれぞれに対応する売り板枚数、及び前記買い値のそれぞれに対応する買い板枚数とを少なくとも含む板情報を所定周期（例えば、周期１秒）で入力するためのものである。
【００１７】
また、記憶手段は、前記入力手段により所定周期で入力された前記板情報を記憶するためのものである。
【００１８】
さらに、画像表示手段は、前記記憶手段に記憶された前記板情報に基づいて、「値」数字列と「売り板枚数」数字列と「買い板枚数」数字列とを含む板情報基本画像を少なくとも生成し、これらを所定の画像表示器のスクリーン上に表示させるものである。
【００１９】
ここで、「値」数字列とは、前記売り値及び前記買い値のそれぞれに相当する一連の「値」数字を所定間隔で上下方向一列に配列してなるものである。また、「売り板枚数」数字列とは、前記売り板枚数のそれぞれに相当する一連の「売り板枚数」数字を、対応する前記売り値と前記売り板枚数とが隣接するようにして、前記「値」数字列の一方の側（例えば、左側）に隣接させて一列に配置してなるものである。さらに、「買い板枚数」数字列とは、前記買い板枚数のそれぞれに相当する一連の「買い板枚数」数字を、対応する前記買い値と前記買い板枚数とが隣接するようにして、前記「値」数字列の他方の側（例えば、右側）に隣接させて一列に配置してなるものである。
【００２０】
以上の構成に加え、前記画像表示手段は、前記板情報及び／又は前記板情報を加工して得られた加工情報を、それらの情報に含まれる数量値が所定のグラフィック特徴量（例えば、所定形状を有する表示シンボルのサイズ、長さ、角度、輝度、彩度等々の特徴）に変換された、板情報補助画像を生成し、前記板情報補助画像を前記板情報基本画像に付加して、前記画像表示器の表示スクリーン上に表示させる、ように仕組まれている。
【００２１】
このような構成によれば、画像表示器の表示スクリーン上には、前記板情報基本画像に加えて、前記板情報及び／又は前記板情報を加工して得られた加工情報を、それらの情報に含まれる数量値が所定のグラフィック特徴量に変換された、板情報補助画像が表示されるため、この板情報補助画像に基づいて、市場参加者は、板情報基本画像を構成する数字表示が頻繁に変化したとしても、その板情報自体のみならず、その板情報を加工して得られる様々な加工情報をも容易に理解することができる。その結果、ソニーやトヨタといったような人気銘柄や、そもそも市場参加者が多く売り買いの激しいミニ日経２２５先物といった銘柄であっても、板情報の内容を的確に把握することによって、適切な売り値又は買い値を容易に設定して、株式などの相場の商いを高い信頼性をもって、実現することができる。
【００２２】
本発明の好ましい実施の形態においては、前記板情報補助画像が、前記一連の売り板枚数のそれぞれの数量をグラフィカルに表す値別売り板枚数対応画像、前記一連の買い板枚数のそれぞれの数量をグラフィカルに表す値別買い板枚数対応画像、最低売り値から高値側へ所定個数分（例えば、３〜５個分）の一連の売り値のそれぞれに対応する売り板枚数を単純加算又は重み付け加算（例えば、最低売り値に近いほど大きな重み付けをしたのち、それらを加算する）して得られる売り板総数をグラフィカルに表す売り板総数対応画像、最高買い値から安値側へ所定個数分（例えば、３〜５個分）の一連の買い値のそれぞれに対応する買い板枚数を単純加算又は重み付け加算（例えば、最高買い値に近いほど大きな重み付けをしたのち、それらを加算する）して得られる買い板総数をグラフィカルに表す買い板総数対応画像、及び前記売り板総数と前記買い板総数との比較結果をグラフィカルに表す総数比較結果対応画像、の少なくとも１つを含むようにしてもよい。
【００２３】
このような構成によれば、一連の売り板枚数のそれぞれの数量、一連の買い板枚数のそれぞれの数量、一連の売り板総数、一連の買い板総数、又は売り板総数と買い板総数との比較結果を、数字ではなく、一目瞭然に理解可能なグラフィックを介して、市場参加者に対して、提供することができる。
【００２４】
本発明のさらに好ましい実施の形態においては、前記値別売り板枚数対応画像が、前記板情報基本画像において、前記「値」数字列を挟んで、各「売り板枚数」数字列と反対側の空きスペースに配置され、かつ所定の最大表示長の範囲で正規化された、売り板枚数対応長を有する売り板色のバーであるようにしてもよい。
【００２５】
このような構成によれば、各「売り板枚数」数字に隣接して、売り板枚数対応長を有する売り板色のバーが所定最大表示長の範囲で存在することから、各売り値の「売り板枚数」の数量をバーの色及び長さを介して一目瞭然に視認させることができる。
【００２６】
本発明のさらに好ましい実施の形態においては、前記値別買い板枚数対応画像が、前記板情報記憶画像において、前記「値」数字列を挟んで、各「買い板枚数」数字列と反対の側の空きスペースに配置され、かつ所定の最大表示長の範囲で正規化された、買い板枚数対応長を有する買い板色のバーであるようにしてもよい。
【００２７】
このような構成によれば、各「買い板枚数」数字に隣接して、買い板枚数対応長を有する買い板色のバーが所定最大表示長の範囲で存在することから、各買い値の「買い板枚数」の数量をバーの色及び長さを介して一目瞭然に視認させることができる。
【００２８】
本発明のさらに好ましい実施の形態においては、前記売り板総数対応画像が、前記板情報記憶画像の隣接するその上部にあって、前記「値」数字列の延長線に対して、前記「売り板枚数」数字列と反対の側に配置され、かつ所定の最大表示長の範囲で正規化された、売り板総数対応長を有する売り板色のバーであるようにしてもよい。
【００２９】
このような構成によれば、前記売り板色のバーの最上列の上部には、売り板総数対応長を有する売り板色のバーが所定最大表示長の範囲で存在することから、売り板総数の数量をバーの色及び長さを介して一目瞭然に視認させることができる。
【００３０】
本発明のさらに好ましい実施の形態においては、前記買い板総数対応画像が、前記板情報基本画像に隣接するその上部にあって、前記「値」数字列の延長線に対して、前記「買い板枚数」数字列と反対の側に配置され、かつ所定の最大表示長の範囲で正規化された、買い板総数対応長を有する買い板色のバーであるようにしてもよい。
【００３１】
このような構成によれば、前記買い板色のバー列の最上段の上部には、買い板総数対応長を有する買い板色のバーが所定最大表示長の範囲で存在することから、買い板総数の数量をバーの色及び長さを介して一目瞭然に視認させることができる。
【００３２】
本発明のさらに好ましい実施の形態においては、前記総数比較結果対応画像が、前記板情報記憶画像に隣接するその上部にあって、前記「値」数字列の延長線上に配置され、かつ前記総数比較結果の売り板総数大、買い板総数大に応じて、下向きの売り値色、上向きの買い値色となる方向性記号であるようにしてもよい。
【００３３】
このような構成によれば、売り板総数対応長を有する売り板色のバーと買い板総数対応長を有する買い板色のバーとの隙間には、前記総数比較結果の売り板総数大、買い板総数大に応じて、下向きの売り板色、上向きの買い板色となる方向性記号が存在することから、売り板総数と買い板総数との大小関係を記号の色と向きとを介して一目瞭然に視認させることができる。
【００３４】
本発明のさらに好ましい実施の形態においては、前記板情報基本画像及び前記板情報補助画像が、前記画像表示器の表示スクリーン上にあって、相場チャート表示用のメインウィンドウに隣接して開かれた売買判断情報表示用のサブウィンドウ内に表示されるようにしてもよい。
【００３５】
このような構成によれば、相場チャートと売買判断情報とを隣接して同時に観察することにより、より一層的確に、売り値及び買い値、並びに、その売りタイミング及び買いタイミングを把握することができる。
【００３６】
本発明のさらに好ましい実施の形態においては、前記メインウィンドウ内の所定領域には、指定された銘柄について、指定された単位期間毎にサンプルされた一連の終値データに基づいて作成された短期、中期、長期の増田足曲線を有する増田足チャートを含む画像が表示されるようにしてもよい。
【００３７】
このような構成によれば、増田足に基づく価格動向予測機能とも相俟って、売り値及び買い値をより一層適切に把握することができる。
【００３８】
本発明のさらに好ましい実施の形態においては、前記サブウィンドウ内の所定領域には、前記一連の終値データに、所定の判定ルールを適用することにより、自動判定された相場の目先トレンドを端的に表すトレンド記号を含む画像がさらに表示されるものであってもよい。
【００３９】
このような構成によれば、トレンド記号に基づいて、指定された銘柄の目先トレンドを認識し、売り値及び買い値をより一層明確に把握することができる。
【００４０】
本発明のさらに好ましい実施の形態においては、前記サブウィンドウ内の所定領域には、前記一連の終値データに基づいて作成された短期増田影足曲線を構成する直近所定本数以内の影足列を含む画像がさらに表示されるものであってもよい。
【００４１】
このような構成によれば、直近所定本数以内の影足列パターンの有する動向表示機能とも相俟って、売り値及び買い値をより一層明確に把握することができる。
【００４２】
本発明のさらに好ましい実施の形態においては、前記サブウィンドウ内の所定領域には、前記直近所定本数以内の影足列に、所定の判定ルールを適用することにより自動判定された、相場の目先トレンドを表すコメント文を含む画像がさらに表示されるようにしてもよい。
【００４３】
このような構成によれば、コメント文の目先トレンド表示機能とも相俟って、売り値及び買い値をより適切に把握することができる。
【００４４】
本発明のさらに好ましい実施の形態においては、前記表示スクリーン上には、所定の操作に応じて、相場チャート表示用の別ウィンドウが重ねて開かれ、前記別ウィンドウ内には、前記銘柄について、指定された前記単位期間とは異なる別の単位期間毎にサンプルされた一連の始値、終値、高値、安値の各データに基づいて作成されたローソク足チャート及び／又は増田足チャートを含む画像が表示されるものであってもよい。
【００４５】
このような構成によれば、より短い単位期間の、ローソク足チャート及び／又は増田足チャートの有する分析機能を使っての些細な分析とも相俟って、売り値及び買い値をより一層明確に把握することができる。
【００４６】
本発明のさらに好ましい実施の形態においては、前記指定された銘柄がミニ日経２２５先物であり、前記メインウィンドウ内に増田足チャートを表示させる際に指定される単位期間が５分であり、前記別ウィンドウ内にローソク足チャート及び／又は増田足チャートを表示させる際に指定される単位期間が１分であるようにしてもよい。
【００４７】
このような構成によれば、売り値及び買い値、さらには売り値枚数及び買い値枚数が頻繁に変動するミニ日経２５５先物であっても、数値表示の変動に惑わされることなく、売り値及び買い値をより明確に把握することができる。
【００４８】
別の一面から見た本発明は、上述のいずれかに記載の相場情報表示装置としてコンピュータを機能させるためのコンピュータプログラムとして把握することもできる。
【００４９】
また、上述の相場情報表示装置のそれぞれは、クライアント・アンド・サーバシステムにおけるサーバ装置として構成することもできる。
【００５０】
さらに、上述の相場情報表示装置のそれぞれは、クライアント・アンド・サーバシステムにおけるクライアント機として構成することもできる。
【発明の効果】
【００５１】
本発明によれば、画像表示器の表示スクリーン上には、板情報基本画像に加えて、当該板情報基本画像の瞬時理解を容易とするための板情報補助画像が表示されることとなるため、この板情報補助画像に基づいて、板情報の内容を瞬時に理解し、適切な売り値又は買い値の設定が可能となる。
【図面の簡単な説明】
【００５２】
【図１】本発明が適用された相場情報表示システムの構成図である。
【図２】サーバ装置の構成を示すブロック図である。
【図３】足情報記憶部（サーバ装置）の詳細を示すブロック図である。
【図４】クライアント機の構成を示すブロック図である。
【図５】足情報記憶部（クライアント機）の詳細を示すブロック図である。
【図６】分足記憶部（サーバ装置）の詳細を示すブロック図である。
【図７】株価記憶部に格納される株価情報の一例を示す図である。
【図８】足情報記憶部に格納されるデータ内容を示す図（その１）である。
【図９】足情報記憶部に格納されるデータ内容を示す図（その２）である。
【図１０】板情報記憶部に格納される板情報の詳細を示す説明図である。
【図１１】株価情報入力処理（サーバ装置）の詳細を示すフローチャートである。
【図１２】足データ作成処理（サーバ装置）の詳細を示すフローチャートである。
【図１３】クライアント機側の動作を概略的に示すフローチャートである。
【図１４】表示処理の概略を示すフローチャートである。
【図１５】増田足チャート表示処理の詳細を示すフローチャートである。
【図１６】板情報表示処理の詳細を示すフローチャートである。
【図１７】表示用前処理の詳細を示すフローチャートである。
【図１８】サブウィンドウ内における情報表示領域のレイアウト図である。
【図１９】各領域とその表示内容との対応付けテーブルの説明図である。
【図２０】売り板枚数のバー表示例（売り値１の場合）である。
【図２１】買い板枚数のバー表示例（買い値１の場合）である。
【図２２】売買別板総数のバー表示例を示す図である。
【図２３】総買い板枚数と総売り板枚数との比較結果表示態様の説明図である。
【図２４】目先のトレンド表示処理の概略を示すフローチャートである。
【図２５】目先トレンドの判定処理に使用されるデータの説明図である。
【図２６】表示用前処理（目先トレンドの判定処理）の詳細を示すフローチャートである。
【図２７】目先トレンドの表示態様を示す説明図である。
【図２８】直近影線表示処理の詳細を示すフローチャートである。
【図２９】直近影足列の代表的ないくつかのパターンを示す説明図である。
【図３０】直近影足列パターンに対応するコメントの説明図である。
【図３１】表示スクリーンの表示例を示す全体図である。
【図３２】別ウィンドウが開かれた状態の表示スクリーンの表示例を示す全体図である。
【図３３】別ウィンドウの表示例を示す拡大図（その１）である。
【図３４】別ウィンドウの表示例を示す拡大図（その２）である。
【図３５】別ウィンドウの表示例を示す拡大図（その３）である。
【図３６】別ウィンドウの表示例を示す拡大図（その４）である。
【図３７】時刻ｔ１における売買判断用サブウィンドウの表示例を示す拡大図である。
【図３８】時刻ｔ２における売買判断用サブウィンドウの表示例を示す拡大図である。
【図３９】時刻ｔ３における売買判断用サブウィンドウの表示例を示す拡大図である。
【図４０】時刻ｔ４における売買判断用サブウィンドウの表示例を示す拡大図である。
【発明を実施するための形態】
【００５３】
以下に、本発明の好適な実施の一形態を添付図面にしたがって詳細に説明する。本発明の実施の一形態であるクライアント・アンド・サーバ方式による相場情報表示システムの構成図が図１のブロック図に概念的に示されている。
【００５４】
同図に示されるように、この相場情報表示システム１００は、サーバ装置（Ｗｅｂサーバ）１０とクライアント機（例えば、パソコン、ＰＤＡ、携帯電話機等）２０とをインターネット４０を介して接続可能に構成してなるものである。尚、図において、３０は証券取引所等の株価情報発行元、１０３ａ−１はサーバ装置１０のディスプレイ装置１０３ａの表示スクリーン、２０３ａ−１はクライアント機２０のディスプレイ装置２０３ａの表示スクリーンである。
【００５５】
サーバ装置の構成を示すブロック図が図２示されている。同図に示されるように、サーバ装置１０は、本体部１０１と入力部１０２と出力部１０３とを含んでいる。
【００５６】
本体部１０１は、中央処理部１０１ａと株価記憶部１０１ｂと足情報記憶部１０１ｃと本発明の要部である板情報記憶部１０１ｄとを含んでいる。
【００５７】
中央処理部１０１ａは、サーバ装置としての機能を実現するために必要なコンピュータプログラムを記憶するプログラム記憶装置１０１ａ−２と、プログラム記憶装置１０１ａ−２に記憶されたコンピュータプログラムを適宜に読み出して実行することにより、サーバ装置としての各種の機能を実現するＣＰＵ１０１ａ−１とを含んでいる。プログラム記憶装置１０１ａ−２に記憶されたコンピュータプログラムとしては、後に図１１及び図１２のフローチャートを参照して説明される各種のコンピュータプログラムを挙げることができる。
【００５８】
株価記憶部１０１ｂは、この例では、サーバ装置１０の内部に設けられたハードディスクの記憶エリアの一部割り当てにより実現されている。この株価記憶部１０１ｂには、予め決められた一群の銘柄のそれぞれに関する直近の所定最大期間分の株価情報が記憶されている。この株価情報は、のちに詳細に説明するように、入力部１０２を構成する送受信部１０２ｂの作用により、株価情報発行元３０からインターネットを介して取得される株価情報（この例では、東証一部の約１６６０銘柄を含む）である。
【００５９】
株価記憶部１０１ｂに格納された株価情報の一例が図７に示されている。同図に示されるように、この株価情報は、１つの株銘柄に対し、株価情報が取得された「時刻」と「始値」と「高値」と「安値」と「終値」と「出来高」とを、１単位期間分のデータとして、互いに関連づけして記憶させることにより構成されている。尚、「時刻」は、例えば日足の増田足チャートの生成において、短期終値平均値の算出を行う場合に、当日と前日と前々日の株価（終値）を特定する際に参照される。
【００６０】
本実施の形態では、日足の増田足チャートの作成には、最新の４５０日分の日毎の終値データが、週足の増田足チャートの作成には、最新の１９２週分の週を代表する日（例えば、毎週の金曜日）の終値データが、月足の増田足チャートの作成には、最新の１７６月分の月を代表する日（例えば、毎月の末日）の終値データが、１０秒足の増田足チャートの作成には、最新の４５００秒分の各１０秒を代表する秒の終値データが、１分足の増田足チャートの作成には、４５０分分の分を代表する各分の終値データがそれぞれ使用される。そのため、株価記億部１０１ｂには、これらの演算を行うために必要な少なくとも所定最大（単位期間）分の株価情報が記憶されることとなる。
【００６１】
足情報記憶部１０１ｃには、図３に示されるように、１０秒足の短期・中期・長期の増田足チャートを描画するに必要な足データを記憶する１０秒足記憶部１０１ｃ−１と、分足の短期・中期・長期の増田足チャートを描画するに必要な足データを記憶する分足記憶部１０１ｃ−２と、日足の短期・中期・長期の増田足チャートを描画するに必要な足データを記憶する日足記憶部１０１ｃ−３と、週足の短期・中期・長期の増田足チャートを描画するに必要な足データを記憶する週足記憶部１０１ｃ−４と、月足の短期・中期・長期の増田足チャートを描画するに必要な足データを記憶する月足記憶部１０１ｃ−５が含まれている。
【００６２】
尚、より正確には、図６に示されるように、分足記憶部１０１ｃ−２内には、１分足記憶部１０１ｃ−２１と、３分足記憶部１０１ｃ−２２と、５分足記憶部１０１ｃ−２３と、１０分足記憶部１０１ｃ−２４と、１５分足記憶部１０１ｃ−２５と、３０分足記憶部１０１ｃ−２６とが設けられている。それらの記憶部には、１分足、３分足、５分足、１０分足、１５分足、及び３０分足のそれぞれにおける短期・中期・長期の増田足チャートを描画するに必要な足データが記憶されている。ここで、増田足チャートにおける「足」とは、当業者にはよく知られているように、増田足チャートを構成する１単位期間分の株価の上昇又は下降のエネルギの大きさをその長さと色とで表現する棒状シンボルのことを言う。
【００６３】
足情報記憶部１０１ｃの１０秒足記憶部１０１ｃ−１、１分足記憶部１０１ｃ−２、３分足記憶部１０１ｃ−２２にそれぞれ保存される足データの内容が図８に示されている。
【００６４】
同図に示されるように、１０秒足記憶部１０１ｃ−１には、各株銘柄毎に（図では特定の１銘柄についてのみを示す）、４×１０秒目〜Ｂ×１０秒目（Ｂ秒目を最新秒と仮定）の足データが格納されている。
【００６５】
各１０秒目の足データは、（１）前１０秒と当１０秒とのそれぞれに関する短期（３×１０秒）・中期（２５×１０秒）・長期（７５×１０秒）の終値移動平均値、（２）前１０秒と当１０秒とのそれぞれに関する終値、（３）当１０秒の短期足、中期足、長期足の足色、及び（４）前１０秒と当１０秒とのそれぞれの時刻を含んで構成される。
【００６６】
ここで、「足色」は、前１０秒の終値移動平均値よりも当１０秒の終値移動平均値の方が高ければ所定の上昇色（例えば、ピンク色）となり、前１０秒の終値移動平均値よりも当１０秒の終値移動平均値の方が低ければ所定の下降色（例えば、ブルー色）となり、前１０秒の終値移動平均値と当１０秒の終値移動平均値とが同一のときは、前１０秒の足データの足色と同色となる。
【００６７】
具体的に例を挙げて説明すれば、「４×１０秒目足データ」は、（１）３×１０秒目と４×１０秒目とのそれぞれに関する短期（３×１０秒）・中期（２５×１０秒）・長期（７５×１０秒）の終値移動平均値、（２）３×１０秒目と４×１０秒目とのそれぞれに関する終値、（３）４×１０秒目の短期足、中期足、長期足の足色、及び（４）３×１０秒目と４×１０秒目とのそれぞれの時刻を含んで構成される。
【００６８】
ここで、「足色」は、３×１０秒目の終値移動平均値よりも４×１０秒目の終値移動平均値の方が高ければ所定の上昇色（例えば、ピンク色）となり、３×１０秒目の終値移動平均値よりも４×１０秒目の終値移動平均値の方が低ければ所定の下降色（例えば、ブルー色）となり、３×１０秒目の終値移動平均値と４×１０秒目の終値移動平均値とが同一のときには、３×１０秒目足データの足色と同色となる。
【００６９】
尚、「時刻」は、１０秒足データ算出の基準となる時刻であり、例えば、１０秒足における短期終値平均値を算出する場合は、３×１０秒目に該当する時刻が記憶される。また、データの先頭が「３×１０秒目」となっているのは、１０秒足データとしての短期終値平均値の算出には、それ以前の２×１０秒分の終値平均値が必要とされるためである。同様の理由から、中期終値平均値が保存されるのは２５×１０秒目以降であり、長期終値平均値が保存されるのは７５×１０秒以降となる。
【００７０】
１分足記憶部１０１ｃ−２１には、各株銘柄毎に（図では特定の１銘柄についてのみを示す）、４分目〜Ｈ分目（Ｈ分目を最新分と仮定）の足データが記憶されている。
【００７１】
各分目の足データは、（１）前分と当分とのそれぞれに関する短期（３分）・中期（２５分）・長期（７５分）の終値移動平均値、（２）前分と当分とのそれぞれに関する終値、（３）当分の短期足、中期足、長期足の足色、及び（４）前分と当分とのそれぞれの時刻を含んで構成される。
【００７２】
ここで、「足色」は、前分の終値移動平均値よりも当分の終値移動平均値の方が高ければ所定の上昇色（例えば、ピンク色）となり、前分の終値移動平均値よりも本分の終値移動平均値の方が低ければ所定の下降色（例えば、ブルー色）となり、前分の終値移動平均値と本分の終値移動平均値とが同一のときには、前分の足データの足色と同色となる。
【００７３】
具体的に例を挙げて説明すれば、「４分目足データ」は、（１）３分目と４分目とのそれぞれに関する短期（３分）・中期（２５分）・長期（７５分）の終値移動平均値、（２）３分目と４分目とのそれぞれに関する終値、（３）４分目の短期足、中期足、長期足の足色、及び（４）３分目と４分目とのそれぞれの時刻を含んで構成される。ここで、「足色」は、３分目の終値移動平均値よりも４分目の終値移動平均値の方が高ければ所定の上昇色（例えば、ピンク色）となり、３分目の終値移動平均値よりも４分目の終値移動平均値の方が低ければ所定の下降色（例えば、ブルー色）となり、３分目の終値移動平均値と４分目の終値移動平均値とが同一のときには、３分目足データの足色と同色となる。
【００７４】
３分足記憶部１０１ｃ−２２には、各銘柄毎に（図では特定の１銘柄についてのみを示す）、４×３分目〜Ｈ×３分目（Ｈ×３分目を最新と仮定）の足データが記憶されている。
【００７５】
各３分目の足データは、（１）前３分目と当３分目とのそれぞれに関する短期・中期・長期の終値移動平均値、（２）前３分と当３分とのそれぞれに関する終値、（３）当３分の短期足、中期足、長期足の足色、及び（４）前３分と当３分とのそれぞれの時刻を含んで構成される。
【００７６】
ここで、先に述べたように、「足色」は、前３分の終値移動平均値よりも当３分の終値移動平均値の方が高ければ所定の上昇色（例えば、ピンク色）となり、前３分の終値移動平均値よりも当３分の終値移動平均値の方が低ければ所定の下降色（例えば、ブルー色）となり、前３分の終値移動平均値と当３分の終値移動平均値とが同一のときには、１つ前の３分の足データの足色と同色となる。
【００７７】
足データ記憶部１０１ｃの日足記憶部１０１ｃ−３、週足記憶部１０１ｃ−４、月足記憶部１０１ｃ−５にそれぞれ保存される足データの内容が図９に示されている。
【００７８】
同図に示されるように、日足記憶部１０１ｃ−１には、各株銘柄毎に（図では特定の特定の１銘柄についてのみを示す）、４日〜Ｄ日目（Ｄ日目を最新日と仮定）の足データが記憶されている。
【００７９】
各日目の足データは、（１）前日と当日とのそれぞれに関する短期（３日）・中期（２５日）・長期（７５日）の終値移動平均値、（２）前日と当日とのそれぞれに関する終値、（３）当日の短期足、中期足、長期足の足色、及び（４）前日と当日とのそれぞれの日付を含んで構成される。
【００８０】
ここで、「足色」は、前日の終値移動平均値よりも当日の終値移動平均値の方が高ければ所定の上昇色（例えば、ピンク色）となり、前日の終値移動平均値よりも当日の終値移動平均値の方が低ければ所定の下降色（例えば、ブルー色）となり、前日の終値移動平均値と当日の終値移動平均値とが同一のときには、前日の足データの足色と同色となる。
【００８１】
具体的に例を挙げて説明すれば、「４日目足データ」は、（１）３日目と４日目とのそれぞれに関する短期（３日）・中期（２５日）・長期（７５日）の終値移動平均値、（２）３日目と４日目とのそれぞれに関する終値、（３）４日目の短期足、中期足、長期足の足色、及び（４）３日目と４日目とのそれぞれの日付を含んで構成される。
【００８２】
ここで、「足色」は、３日目の終値移動平均値よりも４日目の終値移動平均値の方が高ければ所定の上昇色（例えば、ピンク色）となり、３日目の終値移動平均値よりも４日目の終値移動平均値の方が低ければ所定の下降色（例えば、ブルー色）となり、３日目の終値移動平均値と４日目の終値移動平均値とが同一のときには、３日目足データの足色と同色となる
【００８３】
尚、「日付」は、日足データ算出の基準となる日であり、例えば、日足における短期終値平均値を算出する場合は、３日目に該当する日（当日が、７月１０日とすると、演算には、７月９日と７月８日の株価（終値）が必要であり、この場合に、終値短期平均値を算出した日である７月１０日）が記憶される。また、データの先頭が「３日目」となっているのは、日足データとしての短期終値平均値の算出には、それ以前の２日分の終値平均値が必要とされるためである。同様の理由から、中期終値平均値が保存されるのは２５日目以降であり、長期終値平均値が保存されるのは７５日目以降となる。
【００８４】
週足記憶部１０１ｃ−４には、各株銘柄毎に（図では特定の１銘柄についてのみを示す）、４週目〜Ｗ週目（Ｗ週目を最新週と仮定）の足データが記憶されている。
【００８５】
各週目の足データは、（１）前週と当週とのそれぞれに関する短期（３週）・中期（１３週）・長期（２６週）の終値移動平均値、（２）前週と当週とのそれぞれに関する終値、（３）当週の短期足、中期足、長期足の足色、及び（４）前週と当週とのそれぞれの日付を含んで構成される。
【００８６】
ここで、「足色」は、前週の終値移動平均値よりも当週の終値移動平均値の方が高ければ所定の上昇色（例えば、ピンク色）となり、前週の終値移動平均値よりも当週の終値移動平均値の方が低ければ所定の下降色（例えば、ブルー色）となり、前週の終値移動平均値と当週の終値移動平均値とが同一のときには、前週の足データの足色と同色となる。
【００８７】
具体的に例を挙げて説明すれば、「４週目足データ」は、（１）３週目と４週目とのそれぞれに関する短期（３週）・中期（１３週）・長期（２６週）の終値移動平均値、（２）３週目と４週目とのそれぞれに関する終値（例えば、金曜日の終値）、（３）４週目の短期足、中期足、長期足の足色、及び（４）３週目と４週目とのそれぞれの日付を含んで構成される。
【００８８】
ここで、「足色」は、３週目の終値移動平均値よりも４週目の終値移動平均値の方が高ければ所定の上昇色（例えば、ピンク色）となり、３週目の終値移動平均値よりも４週目の終値移動平均値の方が低ければ所定の下降色（例えば、ブルー色）となり、３週目の終値移動平均値と４週目の終値移動平均値とが同一のときには、３週目データの足色と同色となる。
【００８９】
尚、「日付」は、週足データ算出の基準となる日であり、例えば、週足における短期終値平均値を算出する場合は、３週目に該当する日（当日が、７月１０日とすると、演算には、例えば、先週に当たる７月２日と先々月に当たる６月２５日の株価（終値）が必要であり、この場合に、終値平均値を算出した日である７月１０日）が記憶される。また、データの先頭が「３週目」となっているのは、週足データとしての短期終値平均値の算出には、それ以前の２週分の終値平均値が必要とされるためである。同様の理由から、中期終値平均値が保存されるのは、１３週目以降であり、長期終値平均値が保存されるのは、２６週目以降となる。
【００９０】
月足記憶部１０１ｃ−５には、各株銘柄毎に（図では特定の１銘柄についてのみを示す）、４月目〜Ｍ月目（Ｍ月目を最新月と仮定）の足データが記憶されている。
【００９１】
各月目の足データは、（１）前月と当月とのそれぞれに関する短期・中期・長期の終値移動平均値、（２）前月と当月とのそれぞれに関する終値（例えば、月の末日の終値）、（３）本月の短期足、中期足、長期足の足色、及び（４）前月と当月とのそれぞれの日付を含んで構成される。
【００９２】
ここで、「足色」は、前月の終値移動平均値よりも当月の終値移動平均値の方が高ければ所定の上昇色（例えば、ピンク色）となり、前月の終値移動平均値よりも当月の終値移動平均値の方が低ければ所定の下降色（例えば、ブルー色）となり、前月の終値移動平均値と当月の終値移動平均値とが同一のときには、１つ前の月の足データの足色と同色となる。
【００９３】
具体的に例を挙げて説明すれば、「４月目足データ」は、（１）３月目と４月目とのそれぞれに関する短期・中期・長期の終値移動平均値、（２）３月目と４月目とのそれぞれに関する終値（例えば、月の末日の終値）、（３）４月目の短期足、中期足、長期足の足色、及び（４）３月目と４月目とのそれぞれの日付を含んで構成される。ここで、「足色」は、３月目の終値移動平均値よりも４月目の終値移動平均値の方が高ければ所定の上昇色（例えば、ピンク色）となり、３月目の終値移動平均値よりも４月目の終値移動平均値の方が低ければ所定の下降色（例えば、ブルー色）となり、３月目の終値移動平均値と４月目の終値移動平均値とが同一のときには、３月目データの足色と同色となる。
【００９４】
尚、「日付」は、月足データ算出の基準となる日であり、例えば、月足における短期終値平均値を算出する場合は、３月目に該当する日（当日が、７月３１日とすると、演算には、例えば、先月に当たる６月３０日と先々月に当たる５月３１日の株価（終値）が必要であり、この場合に、終値平均値を算出した日である７月３１日）が記憶される。また、データの先頭が「３月目」となっているのは、月足データとしての短期終値平均値の算出には、それ以前の２月分の終値平均値が必要とされるためである。同様の理由から、中期終値平均値が保存されるのは、１２月目以降であり、長期終値平均値が保存されるのは、３６月目以降となる。
【００９５】
図２に戻って、板情報記憶部１０１ｄには、図１０に示されるように、各銘柄毎に板情報が記憶されている。この実施例における板情報は、各銘柄（例えば、日経２２５ミニ先物、トヨタ、ソニー等々）のそれぞれについて、最安値から高値側へ５円刻みで５個の売り値（売り値１＜売り値２＜売り値３＜売り値４＜売り値５）のそれぞれについて、該当する売り板枚数（売りの株数の意）を含むと共に、最高値から安値側へ５円刻みで５個の買い値（買い値１＞買い値２＞買い値３＞買い値４＞買い値５）のそれぞれについて買い板枚数（買いの株数の意）を含んで構成されている。
【００９６】
これらの板情報は、株価情報発行元３０からこの例では１秒毎に到来し、すなわち板情報記憶部１０１ｄ内の板情報は１秒毎に更新される。また、それらの板情報には、現在値を示す「売り値」についても含まれている。売り値及び買い値は通常同数到来するもので、それらの数をいくつにするかについては、株価発行元３０との契約により決定される。すなわち、この例では、株価発行元３０との契約により、１秒毎に、５個の売り値（売り値１〜売り値５）及び５個の買い値（買い値１〜買い値５）が到来するように取り決められている。当業者にはよく知られているように、特に、銘柄「日経２５ミニ先物」の場合には、売り値及び買い値のいずれについても、５円刻みで値段決めを行うように取り決められている（例えば、図３７〜図４０参照）。
【００９７】
図２において、入力部１０２には、キーボード１０２ａと送受信部１０２ｂと図示しないマウス等のポインティングデバイスが含まれている。キーボード１０２ａは、会社情報の登録や会社の株価情報の随時入力などに使用される他、後述する出力部１０３としてのディスプレイ装置１０３ａに所望の銘柄のチャートを表示する際に、その銘柄の名称（又は、便宜上銘柄コード）を入力するためにも使用される。
【００９８】
株価情報発行元３０で取り扱っている株の銘柄数は、店頭銘柄も含めると、約４８００銘柄にも及ぶ。これらの株価情報を終値が発表される午後３時以降に、すべてキーボード１０２ａから手入力することは、多大なる時間と労力を必要とする上、入力ミスも避けがたい。そのため、株価情報発行元３０である例えば証券取引所から提供される株価情報をインターネット４０を介してオンラインで取り込むための送受信部１０２ｂが設けられている。
【００９９】
尚、キャッシュメモリ１０２ｃは、送受信手段１０２ｂを介して取り込まれた株価情報の一時記憶手段として使用される。さらに、株価情報の発行時間帯は、昨今、かなり自由化が進められており、日経２２５ミニ先物については、１５時１０分に一旦発行は終了した後、再び、１６時３０分から２３時３０分まで発行が継続される。
【０１００】
出力部１０３は、本体部１０１に接続されたディスプレイ装置１０３ａとプリンタ装置１０３ｂとを含んで構成される。ディスプレイ装置１０３ａ並びにプリンタ装置１０３ｂは、処理部１０１ａが有するプログラム記憶装置１０１ａ−２に記憶されたプログラムに従って、入力部１０２から株価や株価に関する情報を入力するための入力画面表示並びにプリントアウトしたり、足データ記憶部１０１ｃに格納された日足・週足・月足の各足データ、等々を表示スクリーン１０３ａ−１上に表示及びプリンタ装置１０３ｂからプリントアウトする。
【０１０１】
なお、増田足曲線を表示並びにプリントアウトする動作は、クライアント機における動作と基本的には同様であるから、それらの動作の内容については、クライアント機における該当する動作の説明に委ねることとする。
【０１０２】
次に、クライアント機（例えば、パソコン、ＰＤＡ、携帯電話機等で構成される）２０について説明する。クライアント機の構成を示すブロック図が図４に示されている。
【０１０３】
同図に示されるように、クライアント機２０についても、本体部２０１と入力部２０２と出力部２０３とを含んでいる。本体部２０１は、中央処理部２０１ａと足情報記憶部２０１ｂと板情報数記憶部２０１ｃとを含んでいる。
【０１０４】
中央処理部２０１ａは、サーバ装置としての機能を実現するために必要なコンピュータプログラムを記憶するプログラム記憶装置２０１ａ−２と、プログラム記憶装置２０１ａ−２に記憶されたコンピュータプログラムを適宜に読み出して実行することにより、クライアント機としての各種の機能を実現するＣＰＵ２０１ａ−１とを含んでいる。プログラム記憶装置２０１ａ−２に記憶されたコンピュータプログラムとしては、後に図１３〜図１７、図２４、図２６、図２８のフローチャートを参照して説明される各種のコンピュータプログラムを挙げることができる。
【０１０５】
足情報記憶部２０１ｂには、クライアント機２０からの送信リクエストに応じてサーバ装置１０から返送された１又は２以上の銘柄に関する、１０秒足の短期・中期・長期の増田足曲線を描画するに必要な足データを記憶する１０秒足記憶部２０１ｂ−１と、分足の短期・中期・長期の増田足曲線を描画するに必要な足データを記憶する分足記憶部２０１ｂ−２と、日足の短期・中期・長期の増田足曲線を描画するに必要な足データを記憶する日足記憶部２０１ｂ−３と、週足の短期・中期・長期の増田足曲線を描画するに必要な足データを記憶する週足記憶部２０１ｂ−４と、月足の短期・中期・長期の増田足曲線を描画するに必要な足データを記憶する月足記憶部２０１ｂ−５とが含まれている。
【０１０６】
分足記憶部２０１ｂ−２には、図６に示されるサーバ装置の場合と同様に、１分足記憶部、３分足記憶部、５分足記憶部、１０分足記憶部、１５分足記憶部、及び３０分足記憶部が設けられており、それらの記憶部には、それぞれ該当する短期・中期・長期の増田足曲線を描画するに必要な足データが記憶されている。尚、それらの足データの内容は、既にサーバ装置に関して説明した該当する足データの内容と基本的には同様であるから説明は省略する。
【０１０７】
再び図４に戻って、入力部２０２には、キーボード２０２ａと送受信部２０２ｂと図示しないマウスなどのポインティングデバイスが含まれている。キーボード２０２ａは、クライアント機２０からサーバ装置１０へと各種の指示操作を行うために使用される。この指示操作には、送信リクエストに際する銘柄指定操作、１０秒足、１分足、３分足、５分足、１０分足、１５分足、３０分足、日足、週足、月足といった足種別の指定操作、短期・中期・長期といった平均化期間の指定操作、等々が含まれる。また、送受信部２０２ｂは、クライアント機２０とサーバ装置１０との間のインターネットを経由する通信に使用される。
【０１０８】
出力部２０３は、本体部２０１に接続されたディスプレイ装置２０３ａとプリンタ装置２０３ｂとを含んで構成される。ディスプレイ装置２０３ａ並びにプリンタ装置２０３ｂは、足情報記憶部２０１ｂに格納された１０秒足、分足、日足、週足、月足の各足データ、に基づいて、１０秒足、分足（１分足、３分足、５分足、１０分足、１５分足、３０分足）、日足、週足、月足に関する短期・中期・長期の増田足曲線をプリントアウトするために使用される。尚、ディスプレイ装置２０３ａは表示スクリーン２０３ａ−１を有し、後述するチャートその他の株価情報などの表示は、この表示スクリーン２０３ａ−１上において行われる。
【０１０９】
次に、サーバ装置１０のソフトウェア構成について説明する。サーバ装置の処理が開始されると、先ず、データベース構築のために株価情報入力処理が実行される。
【０１１０】
株価情報入力処理の詳細が図１１のフローチャートに示されている。同図に示されるように、株価入力処理においては、先ず、一群の銘柄に関する毎秒の株価をインターネットを介して受信して（ステップ１１０１）、キャッシュメモリ１０２ｂ−１に書き込んだのち（ステップ１１０２）、キャッシュメモリ１０２ｂ−１にデータがあることをチェックする（ステップ１１０３）。
【０１１１】
キャッシュメモリ１０２ｂ−１にデータがあれば（ステップ１１０３ＹＥＳ）、キャッシュメモリ１０２ｂ−１から１件目のデータを読み出し（ステップ１１０４）、読み出したデータの銘柄をキーとして株価記憶部１０１ｂを検索する（ステップ１１０５）。
【０１１２】
株価記憶部１０１ｂにそのデータが存在すれば（ステップ１１０６ＹＥＳ）、当秒分の株価を株価記憶部１０１ｂに書き加えるのに対して（ステップ１１０９）、株価記憶部１０１ｂにそのデータが存在しなければ（ステップ１１０６ＮＯ）、当秒分の株価と銘柄情報とを新たに株価記憶部１０１ｂに書き込んだのち（ステップ１１０７）、エラーとして銘柄、株価、日付等をプリントアウトする（ステップ１１０８）。
【０１１３】
以上の動作（ステップ１１０５〜１１０９）を、キャッシュメモリ１０２ｂ−１のデータがなくなるまで（ステップ１１１０ＮＯ）、キャッシュメモリ１０２ｂ−１から次々とデータを読み出すたびに（ステップ１１１１）、繰り返し実行する。
【０１１４】
これにより、株価記憶部１０１ｂ内には、株価情報発行元からインターネットを介して１秒毎に（或いは株価に変化がある毎に）取得される株価情報に基づいて、一群の銘柄のそれぞれに関する直近の所定最大期間分の株価情報が保存される（図７参照）。
【０１１５】
株価情報入力処理が終了すると、続いて、当該基準期間の入力ありを条件として、足データ作成処理が実行される。足データ作成処理の詳細を示すフローチャートが図１２に示されている。
【０１１６】
同図に示されるように、足データ作成処理においては、先ず、株価記憶部１０１ｂから１件目の銘柄のデータを読み出したのち（ステップ１２０１）、その銘柄のデータに基づいて、１０秒足、１分足、３分足、５分足、１０分足、１５分足、３０分足、日足、週足、月足の各足について、短期、中期、長期の終値移動平均値及び「足色」を演算により求める（ステップ１２０２）。なお、先に説明したように、「足色」については、前回の単位期間（１０秒、１分、３分、５分、１０分、１５分、３０分、１日、１週、１月）の終値移動平均値よりも今回の単位期間の終値移動平均値の方が高ければ所定の上昇色（例えば、ピンク色）となり、前回の終値移動平均値よりも今回の終値移動平均値の方が低ければ所定の下降色（例えば、ブルー色）となり、前回の終値移動平均値と今回の終値移動平均値とが同一であれば、１つ前の足データにおける足色と同色となる。この「足色」については、例えば、上昇色が所定本数連続する足を有する銘柄を検索すると言ったような、高度な銘柄検索用途に使用することができる。
【０１１７】
しかるのち、足データ記憶部１０１ｃから該当する銘柄のデータを読み出し（ステップ１２０３）、該当するデータの有無を判定する（ステップ１２０４）。ここで、該当するデータありと判定されるときには（ステップ１２０４ＹＥＳ）、足データ記憶部の該当銘柄データの該当領域に演算値（ＭＡ１，ＭＡ２，ＭＡ３）及び「足色」を書き加えるのに対して（ステップ１２０５）、該当データなしと判定されるときには（ステップ１２０４ＮＯ）、その演算値（ＭＡ１，ＭＡ２，ＭＡ３）及び「足色」と銘柄情報とを新たに足データ記憶部に書き込んだのち（ステップ１２０６）、エラーとして、銘柄、演算結果、日付等をプリントアウトする（ステップ１２０７）。
【０１１８】
以上の動作（ステップ１２０２〜１２０７）を、株価記憶部１０１ｂのデータがなくなるまで（ステップ１２０８ＮＯ）、株価記憶部１０１ｂから次々とデータを読み出すたびに（ステップ１２０９）、実行する。
【０１１９】
これにより、足データ記憶部１０１ｃ内には、１０秒、１分、３分、５分、１０分、１５分、３０分、１日、１週、１月から選ばれた少なくとも１の単位期間における基準時の直近の短期間、中期間、長期間の株価の移動平均値のそれぞれを求めるための演算を、株価記憶部１０１ｃの予め決められた銘柄それぞれの株価情報に基づいて実行した結果として求められた短期間、中期間、長期間の株価の移動平均値データ列及び足色データが、銘柄別に記憶されることとなる（図８及び図９参照）。
【０１２０】
こうして、足データ作成処理が終了すると、続いて、受信チェックを行いつつ、クライアント機２０からの送信リクエスト待機状態となり、この状態においてクライアント機２０から送信リクエストが到来すると、当該クライアント機２０に対して、送信リクエストに対するレスポンスとして、足データ記憶部１０１ｃに格納された足データを送出する。またこれとは別に、常時サーバ装置１０からクライアント機２０に対しては、１秒単位で新たな板情報の送信が行われている。こうして送信される板情報に基づいて、本発明の板情報表示処理が実行される。
【０１２１】
尚、クライアント機２０からの送信リクエストには、銘柄指定データ、足種別（１０秒足、１分足、３分足、５分足、１０分足、１５分足、３０分足、日足、週足、月足）指定データ、平均化期間（短期、中期、長期）指定データ等々が含まれており、サーバ装置１０からクライアント機２０に対するレスポンスはこれらの指定データに従って実行される。
【０１２２】
次に、クライアント機２０のソフトウェア構成について説明する。クライアント機の動作内容を示す概略フローチャートが図１３に示されている。
【０１２３】
同図に示されるように、クライアント機２０はサーバ装置１０に対して送信リクエストを送信した後（ステップ１３０１）、サーバ装置１０からのレスポンス到来を待機する状態となる（ステップ１３０２，１３０３）。この送信リクエストには、銘柄指定データが少なくとも含まれている。
【０１２４】
この状態において、クライアント機２０からの送信リクエストに対するレスポンスとして足データ、またそれとは別に定常的に１秒単位で板情報が到来すると（ステップ１３０３ＹＥＳ）、それらのデータはクライアント機２０に受信されて、足データ記憶部２０１ｂ及び板情報記憶部２０１ｃに格納される（ステップ１３０４，１３０５）。
【０１２５】
足データ受信処理及び板情報受信処理が終了すると（ステップ１３０４，１３０５）、以後、マウスやキーボードを介して所定の終了操作が行われるまでの間（ステップ１３０９ＮＯ）、表示処理（ステップ１３０６）及びシステムサービス処理（ステップ１３０７）が繰り返し実行される。
【０１２６】
表示処理（ステップ１３０６）の詳細を示すフローチャートが図１４に示されている。同図に示されるように、表示処理（ステップ１３０６）においては、足チャート表示処理（ステップ１４０１）、板情報表示処理（ステップ１４０２）、トレンド図形表示処理（ステップ１４０３）、直近影足表示処理（ステップ１４０４）、及び目先トレンドコメント文の表示処理（ステップ１４０５）が実行される。
【０１２７】
足チャート表示処理（ステップ１４０１）の詳細を示すフローチャートが図１５に示されている。同図を参照しつつ増田足チャートの作成方法について説明する。先に説明したように、日足の増田足チャートの作成には、その銘柄に関する最新の４５０日分の日足データが使用される。すなわち、日足の増田足チャート表示処理においては、まず、比較値Ｄに足作成数より「１」少ない数値「４５０」をセットする（ステップ１４０１）。尚、この例は、「日足」であるため、Ｄ＝４５０とされるが、週足の場合は数値「１９２」、月足の場合は数値「１７6」、１０秒足の場合には数値「４５００」、１分足の場合には数値「４５０」、５分足の場合には数値「２２５０」となる。
【０１２８】
次いで、クライアント機２０の日足記憶部２０１ｂ−３から最新の４５０日分の足データを読み込み（ステップ１５０２）、カウンタＮに数値「２」をセットする（ステップ１５０３）。このカウンタＮは、読み出された足データを古いものから順に特定するためのものである。尚、カウンタＮの初期値を「２」としたのは、増田足の作成には、今回と前回の２つの終値平均値が必要となるためである。
【０１２９】
すなわち、ステップ１５０４では、読み出した日足データの（Ｎ）番目の終値平均値（今回終値平均値）と、（Ｎ−１）番目の終値平均値（前回終値平均値）とを比較する。ここで、（Ｎ）番目の終値平均値が（Ｎ−１）番目の終値平均値より大きい場合は、終値平均値（Ｎ）を上端水平線、終値平均値（Ｎ−１）を下端水平線とするピンクの増田足（垂直棒状シンボル）を、カウンタＮで特定される日付データに基づき時間軸上の該当する位置に表示する（ステップ１５０５）。尚、足色については、各日の足データに含まれる足色データを参照して決定してもよい。
【０１３０】
同様に、（Ｎ）番目の終値平均値が（Ｎ−１）番目の終値平均値より小さい場合は、終値平均値（Ｎ）を下端水平下線、終値平均値（Ｎ−１）を上端水平線とするブルーの増田足（垂直棒状シンボル）を、カウンタＮで特定される日付データに基づき時間軸上の該当する位置に表示する（ステップ１５０６）。このときも、足色については、足データに含まれる足色データを参照して決定してもよい。
【０１３１】
また、（Ｎ）番目の終値平均値と（Ｎ−１）番目の終値平均値が同値である場合には、１つ前と同一の色彩の水平太線をカウンタＮで特定される日付データに基づき時間軸上の該当する位置に表示する（ステップ１５０７）。このときも、足色については、色データに含まれる足色データを参照して決定してもよい。
【０１３２】
次に、ＮがＤより小さいか否かの判定を行い（ステップ１５０８）、ＮがＤより小さい場合は、Ｎを＋１カウントアップして（ステップ１５０９）、ステップ１５０４の処理に戻る。尚、これらの処理は、カウンタＮの値がＤとなるまで（ステップ１４０８ＮＯ）、繰り返し行われる。
【０１３３】
こうして作成された増田足チャートを含む画像（Ｇ７）は、図３１に示されるように、表示スクリーン上に設けられたメインウィンドウＷ１の略上半分の領域に表示され、図示しないローソク足チャートを含む画像Ｇ８は略下半分の領域に表示される。尚、こうして作成された増田足チャートや公知の手法で作成されたローソク足チャートを、表示スクリーン上のどこに表示するかの指示は、所定のマウス操作によって指示することができ、これらの指示はシステムサービス処理（ステップ１３０７）においてシステム側によって検出され、該当するレイアウト処理が実行される。すなわち、システムサービス処理（ステップ１３０７）においては、ユーザの行った様々な操作に対応して、システム側が行う各種のサービス処理が実行されるのである。
【０１３４】
次に、図１４に戻って、足チャート表示処理（ステップ１４０１）が終了すると、続いて、本発明の要部である板情報表示処理（ステップ１４０２）が実行される。
【０１３５】
板情報表示処理の詳細を示すフローチャートが図１６に示されている。同図に示されるように、この板情報表示処理においては、表示用前処理（ステップ１６０１）、板情報の数値表示処理（ステップ１６０２）、値別板枚数のバー表示処理（ステップ１６０３）、売買別板総数のバー表示処理（ステップ１６０４）、及び売買別板総数・比較結果の記号表示処理（ステップ１６０５）が実行される。
【０１３６】
表示用前処理（ステップ１６０１）の詳細を示すフローチャートが図１７に示されている。同図において、処理が開始されると、まず、最大板枚数（Ｎｍａｘ）が求められる。ここで最大板枚数（Ｎｍａｘ）とは、売り値１〜５、買い値１〜５の板枚数（ＳＮ１〜５６，ＢＮ１〜５）の中で、最大の板枚数のことを意味する。
【０１３７】
続いて、売り値１〜５、買い値１〜５の板枚数（ＳＮ１〜５，ＢＮ１〜５）の最大板枚数（Ｎｍａｘ）との比（ＳＮ１／Ｎｍａｘ〜ＳＮ５／Ｎｍａｘ，ＢＮ１／Ｎｍａｘ〜ＢＮ５／Ｎｍａｘ）の値（ＳＲ１〜ＳＲ５，ＢＲ１〜ＢＲ５）が求められる（ステップ１７０２）。
【０１３８】
続いて、最大表示バー長（Ｌｍａｘ）に比の値（ＳＲ１〜ＳＲ５，ＢＲ１〜ＢＲ５）を乗ずることにより、最大表示バー長（Ｌｍａｘ）により正規化された各板枚数毎の表示バー長（ＳＬ１〜ＳＬ５，ＢＬ１〜ＢＬ５）が求められる（ステップ１７０３）。
【０１３９】
続いて、売り値１〜５の総板枚数（ＳＮｔｏｔａｌ）、買い値１〜５の総板枚数（ＢＮｔｏｔａｌ）が求められる（ステップ１７０４）。
【０１４０】
続いて、最大総板枚数（ＮＴｍａｘ）が求められる（ステップ１７０５）。ここで、最大総板枚数（ＮＴｍａｘ）とは、総板枚数（ＳＮｔｏｔａｌ）と総板枚数（ＢＮｔｏｔａｌ）とからなる２つの総板枚数のうちで大きい方を求めることを意味する。
【０１４１】
続いて、各総板枚数（ＳＮｔｏｔａｌ，ＢＮｔｏｔａｌ）の最大総板枚数（ＮＴｍａｘ）との比（ＳＮｔｏｔａｌ／ＮＴｍａｘ，ＢＮｔｏｔａｌ／ＮＴｍａｘ）である比（ＳＴＲ，ＢＴＲ）が求められる（ステップ１７０６）。
【０１４２】
最後に、最大表示バー長（Ｌｍａｘ）に比の値（ＳＴＲ，ＢＴＲ）を乗ずることにより、各総板枚数毎の最大表示バー長（Ｌｍａｘ）により正規化された各表示バー長（ＳＴＬ，ＢＴＬ）が求められる（ステップ１７０７）。
【０１４３】
このようにして、表示用前処理（ステップ１６０１）が終了すると、続いて、板情報の数値表示処理（ステップ１６０２）が実行される。この板情報の数値表示処理（ステップ１６０２）は従来より公知のものであって、これが実行されることにより、表示スクリーン上に設けられたサブウィンドウＷ２内には、板情報基本画像（Ｇ１）が表示される。
【０１４４】
一般によく知られているように、この板情報基本画像（Ｇ１）は、図３７に示されるように、売り値及び買い値のそれぞれに相当する一連の「値」数字を所定間隔で上下方向一列に配列してなる「値」数字列（ＮＬ１）と、売り板枚数のそれぞれに相当する一連の「売り板枚数」数字を、対応する売り板と売り板枚数とが隣接するようにして、前記「値」数字列（ＮＬ１）の一方の側（左側）に隣接させて上下一列に配置してなる「売り板枚数」数字列（ＮＬ２）と、買い板枚数のそれぞれに相当する一連の「買い板枚数」数字を、対応する買い板と買い板枚数とが隣接するようにして、前記「値」数字列（ＮＬ１）の他方の側（右側）に隣接させて上下一列に配置してなる「買い板枚数」数字列（ＮＬ３）とを含んでいる。
【０１４５】
より具体的には、図３７の例にあっては、銘柄（日経２２５先物ミニ）に関する板情報基本画像（Ｇ１）が示されており、売り値１は９，６１０円かつその売り板枚数（ＳＮ１）は６８７枚、売り値２は９，６１５円かつその売り板枚数（ＳＮ２）は６２５枚、売り値３は９，６２０円かつその売り板枚数は２３３枚、売り値４は９，６２５円かつその売り値枚数は１６０枚、売り値５は９，６３０円かつ売り値枚数は４３９枚とされており、一方買い値１は９，６０５円かつその買い値枚数は２６５枚、買い値２は９，６００円かつその買い枚数は８３９枚、買い値３は９，５９５円かつその買い板枚数は５８６枚、買い値４は９，５９０円かつその買い板枚数は８１４枚、買い値５は９，５８５円かつその買い板枚数は６３６枚とされている。
【０１４６】
そのため、「値」数字列（ＮＬ１）は、９，５８５、９，５９０、９，５９５・・・９，６３０の１０個の数字からなり、「売り値枚数」数字列（ＮＬ２）は、６８７、６２５、２３３、・・・４３９の５個の数字からなり、「買い値枚数」数字列は、２６５、８３９、５８６、・・・６３６の５個の数字からなる。
【０１４７】
そして、これらの数字列（ＮＬ１，ＮＬ２，ＮＬ３）を構成する各数字を、サブウィンドウＷ２内のどの位置に配置するかについては、図１８に示されるレイアウト図と図１９に示される対応付けテーブルとを参照することにより決定される。
【０１４８】
より具体的には、売り値１〜５に対応する一連の「値」数字列については、領域ＳＡ１〜５へと配置され、買い値１〜５に対応する一連の「値」数字列については、領域ＢＡ１〜５へと配置され、売り値１〜５に対応する一連の「売り板枚数」数字列については、領域ＳＡ１１〜５１に配置され、買い値１〜５に対応する一連の「買い板枚数」数字列については、領域ＢＡ１１〜５１に配置される。
【０１４９】
先に述べたように、板情報は１秒毎に更新されるため、これら数字列を構成する個々の数字の値は、人気銘柄の株のように、市場参加者が多いと、頻繁に変動し、個々の数字や全体の傾向を瞬時に把握することは必ずしも容易ではない。
【０１５０】
このようにして、板情報の数値表示処理（ステップ１６０２）が終了すると、続いて、本発明の要部であるところの値別板枚数のバー表示処理（ステップ１６０３）が実行される。この値別板枚数のバー表示処理（ステップ１６０３）においては、板情報記憶部２０１ｃに格納された板情報に基づいて、一連の売り板枚数のそれぞれの数量をグラフィカルに表す値別売り板枚数対応画像（Ｇ２１〜Ｇ２５）、及び一連の買い板枚数のそれぞれの数量をグラフィカルに表す値別買い板枚数対応画像（Ｇ３１〜Ｇ３５）を生成する処理が実行される。
【０１５１】
この例にあっては、図３７に示されるように、値別売り板枚数対応画像（Ｇ２１〜Ｇ２５）は、板情報基本画像（Ｇ１）において、「値」数字列（ＮＬ１）を挟んで、各「売り板枚数」数字列（ＮＬ２）と反対の側の空きスペースに配置され、かつ所定の最大表示長（Ｌｍａｘ）の範囲で正規化された、売り板枚数対応長（ＳＬ１〜ＳＬ５）を有する売り板色のバー（２１〜２５）とされる。また、値別買い板枚数対応画像（Ｇ３１〜Ｇ３５）は、板情報基本画像（Ｇ１）において、「値」数字列（ＮＬ１）を挟んで、各「買い板枚数」数字列（ＮＬ３）と反対の側の空きスペースに配置され、かつ所定の最大表示長（Ｌｍａｘ）の範囲で正規化された、買い板枚数対応長（ＢＬ１〜ＢＬ５）を有する買い板色のバー（３１〜３５）とされる。
【０１５２】
上述の処理は、先に図１７のステップ１７０３において求められた、各板枚数毎の表示バー長（ＳＬ１〜ＳＬ５，ＢＬ１〜ＢＬ５）を有する所定色の表示バー（２１〜２５、３１〜３５）を、図１８に示されるレイアウト図と図１９に示される対応付けテーブルとを参照することにより、サブウィンドウＷ２内の予め決められた位置に配置することにより実現される。
【０１５３】
すなわち、売り板枚数（ＮＳ１〜ＮＳ５）に対応する売り板枚数対応長（ＳＬ１〜ＳＬ５）を有する売り板色のバー（２１〜２５）は、サブウィンドウＷ２内の領域（ＳＡ１２〜ＳＡ５２）に配置され、また、買い板枚数（ＮＢ１〜ＮＢ５）に対応する買い板枚数対応長（ＢＬ１〜ＢＬ５）を有する買い板色のバー（３１〜３５）は、サブウィンドウＷ２内の領域（ＢＡ１２〜ＢＡ５２）に配置される。
【０１５４】
売り板枚数のバー表示例（売り値１の場合）が図２０に具体的に示されている。今仮に、図３７に示されるように、最大板枚数（Ｎｍａｘ）が８３９枚（買い値２「９，６００円」のとき）、売り値１（９，６１０円）の板枚数（ＳＮ１）が６８７枚、最大表示バー長（Ｌｍａｘ）が４０ｍｍであったとすると、売り値１の板枚数表示バー長（ＳＬ１）は３２．８（ｍｍ）として求められる。
【０１５５】
次いで、こうして求められた長さ（３２．８ｍｍ）を有する売り板色（例えば、ピンク色）のバー２１は、図１８に示されるレイアウト図と図１９に示される対応付けテーブルとを参照することにより、図示しない表示用メモリにおけるサブウィンドウＷ２内の領域（ＳＡ１２）に書き込まれる。その結果、周知の図示しないディスプレイ駆動処理の実行と共に、図３７に示されるように、表示用スクリーン２０３ａ−１のサブウィンドウＷ２内において、売り値１に相当する「値」数字（９，６１０）の右隣には、売り値１の売り板枚数に相当する「売り板枚数」数字（６８７）に対応する長さ（３２．８ｍｍ）を有する売り板色（例えば、ピンク色）のバー２１が描かれる。
【０１５６】
買い板枚数のバー表示例（買い値１の場合）が図２１に示されている。今仮に、図３７に示されるように、最大板枚数（Ｎｍａｘ）が８３９枚（買い値２「９，６００円」のとき）、買い値１（９，６０５円）の板枚数（ＢＮ１）が２６５枚、最大表示バー長（Ｌｍａｘ）が４０ｍｍであったとすると、買い値１の板枚数表示バー長（ＢＬ１）は１２．６（ｍｍ）として求められる。
【０１５７】
次いで、こうして求められた長さ（１２．６ｍｍ）を有する買い板色（例えば、ブルー色）のバー３１は、図１８に示されるレイアウト図と図１９に示される対応付けテーブルとを参照することにより、図示しない表示用メモリにおけるサブウィンドウＷ２内の領域（ＢＡ１２）に書き込まれる。その結果、周知の図示しないディスプレイ駆動処理の実行と共に、図３７に示されるように、表示用スクリーン２０３ａ−１のサブウィンドウＷ２内において、買い値１に相当する「値」数字（９，６０５）の左隣には、買い値１の買い板枚数に相当する「買い板枚数」数字（２６５）に対応する長さ（１２．６ｍｍ）を有する買い板色（例えば、ブルー色）のバー３１が描かれる。
【０１５８】
このようにして、値別板枚数のバー表示処理（ステップ１６０３）が終了すると、続いて、本発明の要部であるところの売買別板総数のバー表示処理（ステップ１６０４）が実行される。この売買別板総数のバー表示処理（ステップ１６０４）においては、板情報記憶部２０１ｃに格納された板情報に基づいて、最低売り値から高値側へ所定個数分の一連の売り値のそれぞれに対応する売り板枚数を単純加算して得られる売り板総数をグラフィカルに表す売り板総数対応画像（Ｇ４１）、及び最高買い値から安値側へ所定個数分の一連の買い値のそれぞれに対応する買い板枚数を単純加算して得られる買い板総数をグラフィカルに表す買い板総数対応画像（Ｇ５１）を生成する処理が実行される。
【０１５９】
この例にあっては、図３７に示されるように、売り板総数対応画像（Ｇ４１）は、板情報基本画像（Ｇ１）に隣接するその上部にあって、「値」数字列（ＮＬ１）の延長線に対して、「売り板枚数」数字列（ＮＬ２）と反対の側に配置され、かつ所定の最大表示長（Ｌｍａｘ）の範囲で正規化された、売り板総数対応長（ＳＴＬ）を有する売り板色（例えば、ピンク色）のバー（４１）とされる。また、買い板総数対応画像（Ｇ５１）は、板情報基本画像（Ｇ１）に隣接するその上部にあって、「値」数字列（ＮＬ１）の延長線に対して、「買い板枚数」数字列（ＮＬ３）と反対の側に配置され、かつ所定の最大表示長（Ｌｍａｘ）の範囲で正規化された、買い板総数対応長（ＢＴＬ）を有する買い板色（例えば、ブルー色）のバー（５１）とされる。
【０１６０】
上述の処理は、先に図１７のステップ１７０３において求められた、売り値１〜５の総板枚数表示バー長（ＳＴＬ）及び買い値１〜５の総板枚数表示バー長（ＢＴＬ）を有する所定色の表示バー（４１，５１）を、図１８に示されるレイアウト図と図１９に示される対応付けテーブルとを参照することにより、サブウィンドウＷ２内の予め決められた位置に配置することにより実現される。
【０１６１】
すなわち、売り値１〜５の総板枚数表示バー長（ＳＴＬ）及び買い値１〜５の総板枚数表示バー長（ＢＴＬ）を有する所定色の表示バー（４１）は、サブウィンドウＷ２内の領域（ＳＡ６）に配置され、また、買い値１〜５の総板枚数表示バー長（ＢＴＬ）を有する所定色の表示バー（５１）は、サブウィンドウＷ２内の領域（ＢＡ６）に配置される。
【０１６２】
売買別板総数のバー表示例が図２２に示されている。今仮に、図３７に示されるように、売り値１〜５の総板枚数（ＳＮｔｏｔａｌ）が２，１４４枚、買い値１〜５の総板枚数（ＢＮｔｏｔａｌ）が３，１４０枚、最大総板枚数（ＮＴｍａｘ）が３，１４０枚であったとすると、売り値１〜５の総板枚数表示バー長（ＳＴＬ）は２７．３（ｍｍ）として求められ、買い値１〜５の総板枚数表示バー長（ＢＴＬ）は４０．０（ｍｍ）として求められる。
【０１６３】
次いで、こうして求められた長さ（２７．３ｍｍ）を有する売り板色（例えば、ピンク色）のバー４１と長さ（４０．０ｍｍ）を有する買い板色（例えば、ブルー色）のバー５１は、図１８に示されるレイアウト図と図１９に示される対応付けテーブルとを参照することにより、図示しない表示用メモリ内のサブウィンドウＷ２内の領域（ＳＡ６，ＢＡ６）に書き込まれる。その結果、周知の図示しないディスプレイ駆動処理の実行と共に、図３７に示されるように、表示用スクリーン２０３ａ−１のサブウィンドウＷ２内において、表示バー列の最上段の右側には、売り値１〜５の総板枚数表示バー長を表すピンク色のバー４１が、また左側には、買い値１〜５の総板枚数表示バー長を表すブルー色のバー５１が描かれる。
【０１６４】
このようにして、売買別板総数のバー表示処理（ステップ１６０４）が終了すると、続いて、本発明の要部であるところの売買別板総数・比較結果の記号表示処理（ステップ１６０５）が実行される。この比較結果の記号表示処理（ステップ１６０５）においては、板情報記憶部２０１ｃに格納された板情報に基づいて、売り板総数（ＳＮｔｏｔａｌ）と買い板総数（ＢＮｔｏｔａｌ）との比較結果をグラフィカルに表す総数比較結果対応画像（Ｇ６）を生成する処理が実行される。
【０１６５】
この例にあっては、図３７に示されるように、総数比較結果対応画像（Ｇ６）は、板情報基本画像（Ｇ１）に隣接するその上部にあって、「値」数値列（ＮＬ１）の延長線上に配置され、かつ総数比較結果の売り板総数大、買い板総数大に応じて、下向きの売り板色、上向きの買い板色となる方向性記号６とされる。
【０１６６】
総買い板枚数と総売り板枚数との比較結果表示態様の具体例を示す説明図が図２３に示されている。同図（ａ）に示されるように、総買い板枚数（ＢＮｔｏｔａｌ）よりも総売り板枚数（ＳＮｔｏｔａｌ）のほうが大きい場合、サブウィンドウＷ２内の領域（ＣＡ）には、売り板色（例えば、ピンク色）を有する上向き方向性記号（この例では、三角形記号）６が表示される。また、同図（ｂ）に示されるように、総売り板枚数（ＳＮｔｏｔａｌ）よりも総買い板枚数（ＢＮｔｏｔａｌ）のほうが大きい場合には、サブウィンドウＷ２内の領域（ＣＡ）には、買い板色（例えば、ブルー色）の下向き方向性記号（この例では、三角形記号）６が表示される。さらに、同図（ｃ）に示されるように、総買い板枚数（ＢＮｔｏｔａｌ）と総売り板枚数（ＳＮｔｏｔａｌ）とが等しい場合には、サブウィンドウＷ２内の領域（ＣＡ）には、三角記号（６）は表示されない。このように、図２２に示されるように、サブウィンドウＷ２内の、領域（ＳＡ６）と領域（ＢＡ６）との間にあって、領域（ＣＡ）には、総板枚数同士の比較結果に対応する色と上下の向きとを有する方向性記号（三角形記号）６が表示されることとなる。
【０１６７】
以上述べたように、板情報基本画像（Ｇ１）及び板情報補助画像（Ｇ２１〜２５，Ｇ３１〜３５，Ｇ４１，Ｇ５１，Ｇ６）は、図３１に示されるように、画像表示器２０３ａの表示スクリーン２０３ａ−１上にあって、相場チャート表示用のメインウィンドウ（Ｗ１）に隣接して開かれた売買判断情報表示用のサブウィンドウ（Ｗ２）内に表示される。一方、メインウィンドウ（Ｗ１）内の所定領域には、指定された銘柄について、指定された単位期間毎にサンプルされた一連の終値データに基づいて作成されてた短期、中期、長期の増田足曲線を有する増田足チャートを含む画像（Ｇ７）が表示される、
【０１６８】
より具体的には、この例にあっては、図３１に示されるように、メインウィンドウ（Ｗ１）は、所定のユーザ操作に応じて、システムサービス処理（ステップ１３０７）の作用により、上下に画面を二分割可能とされ、上の画面には、指定された「単位期間」足により描かれた短期、中期、長期の増田足を有する増田足チャートを含む画像（Ｇ７）が表示されると共に、下の画面には、上と同じ「単位期間」足により描かれたローソク足チャートを含む画像（Ｇ８）が表示される。この例では、日経２２５先物ミニを対象とすることから、「単位期間」足としては５分足が採用されている。
【０１６９】
なお、先に説明したように、５分足の増田足チャートを作成するためには、足情報記憶部２０１ｂの５分足記憶部から読み出した足データに基づいて、図１５に示される増田足チャート表示処理を実行することとなる。同様に、５分足のローソク足チャートを作成するためには、足情報記憶部２０１ｂの５分足記憶部から読み出した、「始値、終値、高値、安値」の各データに基づいて、公知のローソク足チャート表示処理（図示せず）を実行することとなる。
【０１７０】
この実施例にあっては、表示スクリーン上には、所定の操作に応じて、相場チャート表示用の別ウィンドウ（Ｗ３）が重ねて開かれ、この別ウィンドウ内には、上記の銘柄（日経２２５先物ミニ）について、指定された前記単位期間とは異なる別の単位期間毎にサンプルされた一連の始値、終値、高値、安値の各データに基づいて作成されたローソク足チャート及び／又は増田足チャートを含む画像が表示可能とされている。したがって、この別ウィンドウ内に、例えば、１分足によるローソク足チャート又は増田足チャートを表示させることにより、いわば天眼鏡のように、特定の時点の株価の動向を子細に観察することもできる（図３２〜図３６参照）。
【０１７１】
図１４に戻って、板情報表示処理（ステップ１４０２）が終了すると、続いて、トレンド図形表示処理（ステップ１４０３）が実行され、サブウィンドウ（Ｗ２）内の所定領域（この例では、上部左側）には、前記一連の終値データに、所定の判定ルールを適用することにより自動判定された相場の目先トレンドを端的に表すトレンド記号（この例では、矢印記号）を含む画像（Ｇ９）がさらに表示される。
【０１７２】
トレンド記号表示処理の概略を示すフローチャートが図２４に示されている。同図に示されるように、このトレンド記号表示処理においては、表示用前処理（ステップ２４０１）と、トレンド記号の表示処理（ステップ２４０２）とが実行される。
【０１７３】
表示用前処理（目先トレンド判定ルール）の詳細を示すフローチャートが図２６に示されている。この表示用前処理においては、図５に示される各種データに、所定の判定ルールを適用することにより、表示態様の選択が自動的に行われる。同図に示されるように、処理が開始されると、Ｎ２の乖離の絶対値≦０．１かつＮ１の乖離≧０．２といった条件の成立が判定される（ステップ２６０１）。同条件が成立すると（ステップ２６０１ＹＥＳ）、続いて、Ｎ３〜Ｎ９の中で、４以上プラスといった条件の成立が判定される（ステップ２６０４）。ここで、同条件が成立すると（ステップ２６０４ＹＥＳ）、表示態様１が選択される。
【０１７４】
一方、同条件が不成立であれば（ステップ２６０４ＮＯ）、続いて、Ｎ３〜Ｎ９の中で、４以上マイナスといった条件の成立が判定される（ステップ２６０８）。ここで、同条件が成立すると（ステップ２６０８ＹＥＳ）、表示態様２が選択され、同条件が不成立な場合には（ステップ２６０８ＮＯ）、表示態様３が選択される。
【０１７５】
一方、ステップ２６０１において、条件が不成立であれば（ステップ２６０１ＮＯ）、続いて、Ｎ２の乖離の絶対値≦０．１かつＮ１の乖離≦−０．２といった条件の成立が判定される（ステップ２６０２）。ここで同条件が不成立であれば（ステップ２６０２ＮＯ）、さらに、Ｎ１，Ｎ２ともにプラスといった条件が成立するのを前提として、先と同様にステップ２６０４への移行が行われる。
【０１７６】
一方、ステップ２６０２において条件が成立し或いはステップ２６０３において条件が不成立であれば、ステップ２６０５へと進んで、Ｎ１，Ｎ２がともにマイナスであるといった条件の成立が判定される（ステップ２６０５）。ここで、同条件が成立し（ステップ２６０５ＹＥＳ）、さらにＮ３〜Ｎ９のうちで４以上マイナスといった条件が成立すれば（ステップ２６０６ＹＥＳ）、表示態様４が選択されるのに対し、同条件が成立しなければ（ステップ２６０６ＮＯ）、さらにＮ３〜Ｎ９の中で４以上プラスといった条件が判定され（ステップ２６０９）、同条件が成立するか否かによって、表示態様５と表示態様６とが択一的に選択される。
【０１７７】
一方、ステップ２６０５において条件が不成立の場合には（ステップ２６０５ＮＯ）、さらにＮ３〜Ｎ９の中で４以上プラスといった条件の成立が判定され（ステップ２６０７）、同条件が成立すれば（ステップ２６０７ＹＥＳ）、表示態様８が選択されるのに対し、同条件が成立しなければ（ステップ２６０７ＮＯ）、さらにＮ３〜Ｎ９の中で４以上マイナスといった条件の成立が判定され（ステップ２６１０）、その結果に応じて、表示態様９と表示態様７とが択一的に選択される。
【０１７８】
このように、ステップ２６０１〜２６１０で表される判定ルールを図２５に示される各時点１Ｈ，２Ｈ，３Ｈ，・・・の終値Ｅ１，Ｅ２，Ｅ３，・・・、連続５個終値の移動平均値Ａ１，Ａ２，Ａ３，・・・、２つの隣接移動平均値の差Ｎ１，Ｎ２，Ｎ３，・・・、さらにはＮ１の乖離及びＮ２の乖離に当てはめることによって、それぞれ固有のトレンド記号を有する表示態様が選択される。
【０１７９】
その後、トレンド記号の表示処理（ステップ２４０２）の実行によって、図２７（ａ）〜（ｉ）に示されるように、固有のトレンド記号によって、表示態様が決定され、こうして得られたトレンド記号（例えば、トレンドを示す棒付きの矢印記号）を含む画像Ｇ９は、図３７に示されるように、サブウィンドウＷ２内の上部所定領域に表示される。
【０１８０】
このようにして、トレンド図形表示処理（ステップ１４０３）が終了すると、続いて、直近影足表示処理（ステップ１４０４）が実行され、サブウィンドウ（Ｗ２）内の所定領域（この例では、上部右側）には、前記５分足における一連の終値データに基づいて作成された短期増田影足曲線を構成する直近所定本数以内の影足列を含む画像（Ｇ１０）がさらに表示される。
【０１８１】
直近影足表示処理の詳細を示すフローチャートが図２８に示されている。同図において処理が開始されると、まず最大値Ｈの値を４５０にセットした後（ステップ２８０１）、指定された５分足記憶部から該当する銘柄の終値データ、終値平均値データを読み出し（ステップ２８０２）、それらの大小関係に基づいて（ステップ２８０４）、３つの処理（ステップ２８０５〜２８０７）のいずれか１つを実行する。
【０１８２】
すなわち、終値（Ｎ）のほうが終値平均値（Ｎ）よりも大なる場合は、ステップ２８０５へと進んで、終値（Ｎ）と当日終値平均値（Ｎ）を結ぶ「ピンク」の矢を表示する。一方、終値（Ｎ）よりも終値平均値（Ｎ）のほうが大きい場合には、ステップ２８０６へ進んで、終値（Ｎ）と当日終値平均値（Ｎ）を結ぶ「ブルー」の矢を表示する。これに対して、終値（Ｎ）と終値平均値（Ｎ）とが等しい場合には、ステップ２８０７へと進んで、足の中に先端が終値（Ｎ）に向いた矢羽を表示する。以上の処理を、足データがなくなるまで繰り返し（ステップ２８０８ＹＥＳ）、足データがなくなるのを待って、直近所定数の影足列を含む画像（Ｇ１０）をサブウィンドウＷ２内の領域Ａ９に表示する処理を実行する（ステップ２８１０）。
【０１８３】
直近影足列の代表的ないくつかのパターンを示す説明図が図２９に、それらのパターンに対応するコメントの説明図が図３０にそれぞれ示されている。それらの図から明らかなように、当業者にはよく知られているように、直近の増田影足列はその性質として、一定のパターンにあるとき、株価のトレンドを比較的精度良く推定することができる。そのため、このように一連の影足列を有する画像（Ｇ１０）によれば、板情報基本画像（Ｇ１）や板情報補助画像（Ｇ２１〜２５，Ｇ３１〜３５，Ｇ４１，Ｇ５１，Ｇ６）もと相俟って、売り買いのタイミングをより一層正確に利用者に対して教示することができる。
【０１８４】
直近影足表示処理（ステップ１４０４）が終了すると、続いて、目先トレンドコメント文の表示処理（ステップ１４０５）が実行される。このコメント文の表示処理（ステップ１４０５）が実行されると、前記一連の影足列に対して、図２９及び図３０のルールを当てはめることによって自動判定が行われた、対応するコメント文を含む画像（Ｇ１１）が、サブウィンドウＷ２内の上部に表示される。
【０１８５】
図から明らかなように、この画像（Ｇ１１）には、自動判定の結果得られたコメント文に加え、該当する増田足の単位期間並びに日時が表示されるから、ユーザはそれらの情報に基づいて、各時点における価格動向を正確に把握することができる。
【０１８６】
以上説明したように、図示の実施形態によれば、ディスプレイ装置２０３ａの表示スクリーン２０３ａ−１上には、ユーザの所定操作に応じて、メインウィンドウ（Ｗ１）、サブウィンドウ（Ｗ２）、及び別ウィンドウ（Ｗ３）が同時に展開可能とされると共に（図３２参照）、メインウィンドウ（Ｗ１）には、指定された「単位期間」足（例えば、５分足）でもって、短期、中期、長期増田足を有する増田チャートを含む画像（Ｇ７）とローソク足チャートを含む画像（Ｇ８）とが上下に２分割表示される（図３１参照）。
【０１８７】
また、サブウィンドウ（Ｗ２）は、略下半分の板情報表示領域と略上半分の参考情報表示領域とに２分割されると共に、板情報表示領域には、本発明の要部である板情報基本画像（Ｇ１）と板情報補助画像（Ｇ２１〜２５，Ｇ３１〜３５，Ｇ４１，Ｇ５１，Ｇ６）とが表示され、参考情報表示領域には、相場の目先トレンドを端的に表すトレンド記号を含む画像（Ｇ９）と、直近所定本数以内の影足列を含む画像（Ｇ１０）と、相場の目先トレンドを表すコメント文を含む画像（Ｇ１１）とが表示される（図３７参照）。
【０１８８】
板情報補助画像を構成する値別売り板枚数対応画像（Ｇ２１〜Ｇ２５）は、一連の売り板枚数のそれぞれの数量をグラフィカルに表すものであると共に、値別買い板枚数対応画像（Ｇ３１〜Ｇ３５）は、一連の買い板枚数のそれぞれの数量をグラフィカルに表すものであるから、ユーザは、一連の売り板枚数及び買い板枚数を示す数字表示が頻繁に変化する人気銘柄（トヨタ、ソニー、日経２２５先物ミニ等々）に適用した場合にも、一連の売り板枚数及び買い板枚数をグラフィカル表示を介して瞬時に把握することができる。
【０１８９】
しかも、図示例にあっては、値別売り板枚数対応画像（Ｇ２１〜Ｇ２５）は、板情報基本画像（Ｇ１）において、「値」数字列（ＮＬ１）を挟んで、各「売り板枚数」数字列（ＮＬ２）と反対の側の空きスペースに配置され、かつ所定の最大表示長（Ｌｍａｘ）の範囲で正規化された、売り板枚数対応長（ＳＬ１〜ＳＬ５）を有する売り板色のバー（２１〜２５）であると共に、値別買い板枚数対応画像（Ｇ３１〜Ｇ３５）は、板情報基本画像（Ｇ１）において、「値」数字列（ＮＬ１）を挟んで、各「買い板枚数」数字列（ＮＬ３）と反対の側の空きスペースに配置され、かつ所定の最大表示長（Ｌｍａｘ）の範囲で正規化された、買い板枚数対応長（ＢＬ１〜ＢＬ５）を有する買い板色のバー（３１〜３５）であるため（図３７参照）、各バーは対応する「値」数字と同一段において隣接位置するため、「値」数字との関連づけが明瞭であると共に、既存の板情報基本画像（Ｇ１）を邪魔することがなく、しかもそれらのバーは既存の板情報基本画像（Ｇ１）の空きスペースに収まることにより、既存の板情報基本画像（Ｇ１）を囲む矩形の輪郭をそのまま維持することができる。
【０１９０】
また、板情報補助画像を構成する売り板総数対応画像（Ｇ４１）は、最低売り値から所定個数分の一連の売り値のそれぞれに対応する売り板枚数を単純加算して得られる売り板総数をグラフィカルに表すものであると共に、買い板総数対応画像（Ｇ５１）は、最高買い値から所定個数分の一連の買い値のそれぞれに対応する買い板枚数を単純加算して得られる買い板総数をグラフィカルに表すものであるから、ユーザは、一連の売り板枚数及び買い板枚数を示す数字表示が頻繁に変化する人気銘柄（トヨタ、ソニー、日経２２５先物ミニ等々）に適用した場合にも、一連の売り板枚総数及び買い板総数をグラフィカル表示を介して瞬時に把握することができる。したがって、一連の売り板枚総数と一連の買い板総数との大領関係と、最安売り板枚数と最高買い板枚数との大領関係とが大きく異なるような場合にも、このグラフィカル表示を観察することにより、株価の目先動向を誤ることを未然に防止することができる。
【０１９１】
しかも、図示例にあっては、売り板総数対応画像（Ｇ４１）は、板情報基本画像（Ｇ１）に隣接するその上部にあって、前記「値」数字列（ＮＬ１）の延長線に対して、前記「売り板枚数」数字列（ＮＬ２）と反対の側に配置され、かつ所定の最大表示長（Ｌｍａｘ）の範囲で正規化された、売り板総数対応長（ＳＴＬ）を有する売り板色のバー４１であると共に、買い板総数対応画像（Ｇ５１）は、板情報基本画像（Ｇ１）に隣接するその上部にあって、「値」数字列（ＮＬ１）の延長線に対して、「買い板枚数」数字列（ＮＬ３）と反対の側に配置され、かつ所定の最大表示長（Ｌｍａｘ）の範囲で正規化された、買い板総数対応長（ＢＴＬ）を有する買い板色のバー５１であるため（図３７参照）、一連の売り板枚数表示バー列の直上部にそれらの総数に対応する長さのバー４１が、また一連の買い板枚数表示バー列の直上部にそれらの総数に対応する長さのバー５１がそれぞれ位置することとなるため、個別量と総量との直感的な理解が容易であると言う利点もあるほか、既存の板情報基本画像（Ｇ１）を邪魔することがなく、しかもそれらのバーは既存の板情報基本画像（Ｇ１）の空きスペースに収まることにより、既存の板情報基本画像（Ｇ１）を囲む矩形の輪郭をそのまま維持することができる。
【０１９２】
さらに、板情報補助画像を構成する総数比較結果対応画像（Ｇ６）は、売り板総数と買い板総数との比較結果をグラフィカルに表すものであるから、ユーザは、一連の売り板枚総数と一連の買い板総数との大領関係が微妙である場合にも、このグラフィカルな表示に基づいて、両者の大領関係を瞬時に把握することができる。
【０１９３】
しかも、図示例にあっては、総数比較結果対応画像（Ｇ６）は、板情報基本画像（Ｇ１）に隣接するその上部にあって、「値」数値列（ＮＬ１）の延長線上に配置され、かつ総数比較結果の売り板総数大、買い板総数大に応じて、下向きの売り板色、上向きの買い板色となる方向性記号６であるから、一連の売り板枚総数と一連の買い板総数との大領関係を一目瞭然に把握することができると共に、その方向性記号６は、一連の売り板枚総数を表示するバー４１と一連の買い板総数を表示するバー５１との中間スペースに収まるため、大小関係の意味づけが明確となると共に、既存の板情報基本画像（Ｇ１）を囲む矩形の輪郭をそのまま維持することができる。
【０１９４】
したがって、以上の実施形態によれば、例えば、日経２２５先物ミニに適用するのであれば、メインウィンドウ（Ｗ１）に表示された、５分足の増田足チャート画像（Ｇ７）及び５分足のローソク足チャート画像（Ｇ８）に基づいて価格の動向を眺めつつ、変化の兆しが現れた場合には、別ウィンドウ（Ｗ３）を開いて、１分足のローソク足チャートを含む画像（Ｇ１２）により、より詳細に価格の動向を観察し、ここぞという場面では、サブウィンドウ（Ｗ２）内の目先動向記号画面（Ｇ９）、直近影足列画面（Ｇ１０）、及びコメント文画面（Ｇ１１）を参考としつつ、板情報表示領域内の板情報基本画面（Ｇ１）及び板情報補助画面（Ｇ２）を頼りとして、売り値及び買い値を指し値することで、確度の高い株取引を行うことが可能となる。
【０１９５】
なお、以上の実施形態によれば、グラフィカルな表示として、数量を長さに変換するバーグラフ表示を挙げたが、これに代えて、数量を角度に変換する円グラフ表示、数量を輝度や彩度に変換するグラフィカル表示、等々の各種の数字以外のグラフィカル表示を採用できることは勿論である。
【０１９６】
また、以上の実施形態によれば、グラフィカル表示の対象として、売り板総数又は買い板総数を採用する場合には、最安売り値から高値側へ５個の売り板総数又は最高買い値から安値側へ５個の買い板総数を挙げたが、総加算個数は５個に限定されることはない。例えば、３個、４個又はそれ以上としてもよい。
【０１９７】
また、以上の実施形態によれば、一連の売り板枚数又は買い板枚数の加算は、単純加算としたが、これに代えて、例えば一連の売り板枚数については、最安売り値に近いものほど大きな重み付け、一連の買い板枚数については、最高買い値に近いものほど大きな重み付けをしたのち、それらを加算すると言った重み付け加算をするものでもよい。
【０１９８】
また、以上の実施形態によれば、総加算値に対応するグラフィカルな表示は、売り板及び買い板のそれぞれについて１個としたが、例えば売り板については、売り値１〜３について総量を表示するものと、売り値１〜５について総量を表示するものとの２種類を設けると共に、買い板についても、買い値１〜３について総量を表示するものと、買い値１〜５について総量を表示するものとの２種類を設け、より精細な総量判定を可能としてもよい。
【０１９９】
最後に、図３３〜図４０を主として参照しながら、メインウィンドウ（Ｗ１）に表示された５分足の増田足及びローソク足チャート、サブウィンドウ（Ｗ２）に表示された売買判断用情報、さらには所定操作でメインウィンドウ上に開かれる別ウィンドウ（Ｗ３）に表示される１分足のローソク足チャートを利用した、日経２２５ミニ先物における売り値及び買い値の決定操作の具体的な一例について説明する。
【０２００】
いま仮に、日経２５５先物ミニの商いを行う場合、ユーザは、図３１に示されるように、メインウィンドウ（Ｗ１）の上下に５分足による増田足を含んだ画像（Ｇ７）とローソク足を含んだ画像（Ｇ８）とをそれぞれ表示させ、さらには、必要に応じて、所定操作で別ウィンドウ（Ｗ３）を開き、これに１分足のローソク足チャートを含んだ画像（Ｇ１２）表示させ、この状態で最適な売り値又は買い値の判断を行う。
【０２０１】
いま仮に、図３１に表示された増田足チャートを含む画像（Ｇ７）及びローソク足チャートを含む画像（Ｇ８）から分かるように、時刻ｔ１，ｔ２，ｔ３，ｔ４において株価に特徴的な変化があったものと想定する。また、時刻ｔ１，ｔ２，ｔ３，ｔ４において、サブウィンドウＷ２内の売買判断用情報は、図３７，図３８，図３９，図４０のように変化するものと想定する。
【０２０２】
図３３及び図３７に示されるように、時刻ｔ１直前までは、これまで続いてきた下降トレンドが、一旦止まったことが認められる（Ｇ９）。ただし、影足を見れば（Ｇ１０，Ｇ１１）、９，６２０円を割ったら下降、ここへ来て９６２０円を割り、再び下降が始まったことが認められる。さらに、板情報を見ても、下げのサインが認められ（Ｇ１，Ｇ２１〜２５，Ｇ３１〜３５，Ｇ４１，Ｇ５１，Ｇ６）、下降の真っ最中であることが分かる。
【０２０３】
図３４及び図３８に示されるように、時刻ｔ２においては、影足の形は、はらんで下げ止まりの形を呈し、急落が一旦止まって、調整入りしていることが分かる（Ｇ１０，Ｇ１１）。但し９，５９０円を割ったら下降と推定される。ここでは、大きく下げた後なので、自律反発を期待し、買いたくなるものの、板情報を見れば、なお下降のサインが認められ（Ｇ１，Ｇ２１〜２５，Ｇ３１〜３５，Ｇ４１，Ｇ５１，Ｇ６）、従ってここでも買いは控え、もう少し様子を見た方がよいことが分かる。
【０２０４】
図３５及び図３９に示されるように、時刻ｔ３においては、下降トレンドが続いてきたものの（Ｇ９）、影足はここへ来て切り返し（Ｇ１０，Ｇ１１）、さらに板情報を見れば、上昇のサインが認められ（Ｇ１，Ｇ２１〜２５，Ｇ３１〜３５，Ｇ４１，Ｇ５１，Ｇ６）、従ってここでは買いを仕掛けることが好ましいことが分かる。
【０２０５】
図３６及び図４０に示されるように、時刻ｔ４においては、トレンドは下降から上昇へ転換と認められるものの（Ｇ９）、但し影足ははらみの形であるため、目先頭が重くなってきており（Ｇ１０，Ｇ１１）、さらに板情報を見れば、下降のサインが認められ（Ｇ１，Ｇ２１〜２５，Ｇ３１〜３５，Ｇ４１，Ｇ５１，Ｇ６）、従ってここは一旦利喰うことが好ましいことが分かる。
【０２０６】
このように、時刻ｔ３において、買い値として９，８５０円を決定し、時刻ｔ４において９，５９５円で売り値を決定し、１５円の利益を上げることができるのである。
【０２０７】
以上説明したサブウィンドウＷ２内の売買判断用情報並びにメインウィンドウ及び別ウィンドウに表示された５分足チャート並びに１分足チャートによれば、様々な外乱に惑わされることなく、適切な買いタイミング並びに売りタイミングをユーザに対して教示することが可能となるのである。
【産業上の利用可能性】
【０２０８】
本発明は、各種の相場（例えば、株式、債権、商品、デリバティブ、オプション、ワラントなど）の商いをチャートを利用して行う場合、板情報画面の視認性を向上することによって、売り値や買い値さらには売り板枚数や買い板枚数の頻繁な変動に惑わされることなく、全体の傾向を把握して、適切な売りタイミング又は買いタイミングをユーザに対して教示させることができる。
【符号の説明】
【０２０９】
６    方向性記号
１０    Ｗｅｂサーバ
２０    クライアント機
２１〜２５    売り板色のバー
３０    株価情報発行元
３１〜３５    買い板色のバー
４０    インターネット
１００    相場情報表示システム
１０１    本体部
１０１ａ    中央処理部
１０１ａ−１    ＣＰＵ
１０１ａ−２    プログラム記憶装置
１０１ｂ    株価記憶部
１０１ｃ    足情報記憶部
１０１ｃ−２    分足記憶部
１０１ｃ−２１    １分足記憶部
１０１ｃ−２２    ３分足記憶部
１０１ｃ−２３    ５分足記憶部
１０１ｃ−２４    １０分足記憶部
１０１ｃ−２５    １５分足記憶部
１０１ｃ−２６    ３０分足記憶部
１０１ｄ    板情報記憶部
１０２    入力部
１０２ａ    キーボード
１０２ｂ    送受信手段
１０２ｂ−１    キャッシュメモリ
１０３    出力部
１０３ａ    ディスプレイ装置
１０３ａ−１    表示スクリーン
１０３ｂ    プリンタ装置
２０１    本体部
２０１ａ    中央処理部
２０１ａ−１    ＣＰＵ
２０１ａ−２    プログラム記憶装置
２０１ｂ    足情報記憶部
２０１ｂ−１    １０秒足記憶部
２０１ｂ−２    分足記憶部
２０１ｂ−３    日足記憶部
２０１ｂ−４    週足記憶部
２０１ｂ−５    月足記憶部
２０１ｃ    板情報記憶部
２０２    入力部
２０２ａ    キーボード
２０２ｂ    送受信手段
２０３    出力部
２０３ａ    画像表示器
２０３ａ−１    表示スクリーン
２０３ａ    ディスプレイ装置
２０３ａ−１    表示スクリーン
２０３ｂ    プリンタ装置
ＢＬ１〜ＢＬ５    買い板枚数態様長
ＢＴＬ    買い板総数態様長
Ｇ１    板情報基本画像
Ｇ２１〜Ｇ２５    値別売り板枚数対応画像
Ｇ３１〜Ｇ３５    値別買い板枚数対応画像
Ｇ４１    売り板総数対応画像
Ｇ５１    買い板総数対応画像
Ｇ６    総数比較結果対応画像
Ｇ７    増田足チャートを含む画像
Ｇ８    ローソク足チャートを含む画像
Ｇ９    トレンド記号を含む画像
Ｇ１０    直近所定本数以内の影足列を含む画像
Ｇ１１    コメント文を含む画像
Ｌｍａｘ    最大表示長
ＮＬ１    「値」数字列
ＮＬ２    「売り板枚数」数字列
ＮＬ３    「買い板枚数」数字列
ＳＬ１〜ＳＬ５    売り板枚数対応長
ＳＴＬ    売り板総数対応長
Ｗ１    メインウィンドウ
Ｗ２    サブウィンドウ
Ｗ３    別ウィンドウ
【図１】
2012043027.tif 000003
【図２】
2012043027.tif 000004
【図３】
2012043027.tif 000005
【図４】
2012043027.tif 000006
【図５】
2012043027.tif 000007
【図６】
2012043027.tif 000008
【図７】
2012043027.tif 000009
【図８】
2012043027.tif 000010
【図９】
2012043027.tif 000011
【図１０】
2012043027.tif 000012
【図１１】
2012043027.tif 000013
【図１２】
2012043027.tif 000014
【図１３】
2012043027.tif 000015
【図１４】
2012043027.tif 000016
【図１５】
2012043027.tif 000017
【図１６】
2012043027.tif 000018
【図１７】
2012043027.tif 000019
【図１８】
2012043027.tif 000020
【図１９】
2012043027.tif 000021
【図２０】
2012043027.tif 000022
【図２１】
2012043027.tif 000023
【図２２】
2012043027.tif 000024
【図２３】
2012043027.tif 000025
【図２４】
2012043027.tif 000026
【図２５】
2012043027.tif 000027
【図２６】
2012043027.tif 000028
【図２７】
2012043027.tif 000029
【図２８】
2012043027.tif 000030
【図２９】
2012043027.tif 000031
【図３０】
2012043027.tif 000032
【図３１】
2012043027.tif 000033
【図３２】
2012043027.tif 000034
【図３３】
2012043027.tif 000035
【図３４】
2012043027.tif 000036
【図３５】
2012043027.tif 000037
【図３６】
2012043027.tif 000038
【図３７】
2012043027.tif 000039
【図３８】
2012043027.tif 000040
【図３９】
2012043027.tif 000041
【図４０】
2012043027.tif 000042